(57)【特許請求の範囲】
【請求項１】
異なる上下方向位置に設けられた２以上の植物生育体保持部と、供給源から供給される水系液体を受け入れてそれを給水し得る受給水部とを備え、前記植物生育体保持部には、保水性を有し対象植物が生育し得る植物生育体が保持されており、前記受給水部は前記植物生育体を保持していない植物栽培装置であって、
前記受給水部は、供給された水系液体を、前記植物生育体保持部のうち少なくとも最下位置の植物生育体保持部よりも上方の植物生育体保持部に対し給水し得るものであり、
前記受給水部から水系液体が供給される所定植物生育体保持部から、それよりも下方位置の植物生育体保持部に水系液体を導き得る導水経路を有し、
前記所定植物生育体保持部に保持された植物生育体に供給された水系液体が、その植物生育体から、前記導水経路を経て下方位置の植物生育体保持部に保持された植物生育体に供給され得るものであり、
前記植物生育体保持部に保持された前記植物生育体は、植物を生育するための面として垂直状の植物生育面又は水平方向に対し４０乃至９０度の傾斜状の植物生育面を有し、
異なる上下方向位置に設けられた前記植物生育体保持部に保持された前記植物生育体は、互いに実質上分離して上下方向に並び、それらの上下方向に並ぶ植物生育体の前記各植物生育面が上下方向に並んでいることを特徴とする植物栽培装置。
【請求項２】
異なる上下方向位置に３以上の植物生育体保持部が設けられており、
受給水部から水系液体が供給される所定植物生育体保持部よりも下方に、異なる上下方向位置の２以上の植物生育体保持部を有し、
前記所定植物生育体保持部から、それよりも下方位置の植物生育体保持部に水系液体を導き得る導水経路の他に、前記所定植物生育体保持部から前記導水経路を通じて下方位置の植物生育体保持部に導かれた水系液体を、その植物生育体保持部から、それよりも更に下方位置の植物生育体保持部に導き得る更なる導水経路を有し、
前記所定植物生育体保持部に保持された植物生育体に供給された水系液体が、その植物生育体から、前記導水経路を経て前記下方位置の植物生育体保持部に保持された植物生育体に供給され、更に、その植物生育体から、前記更なる導水経路を経て前記更に下方位置の植物生育体保持部に保持された植物生育体に供給され得るものである請求項１記載の植物栽培装置。
【請求項３】
上記受給水部は、上記所定植物生育体保持部における所定の水平方向部分に沿うように配された流出部を有し、
前記受給水部に供給された水系液体は、前記流出部を通じて前記植物生育体保持部に供給される請求項１又は２記載の植物栽培装置。
【請求項４】
上記植物生育体保持部のうち、何れかの植物生育体保持部による植物生育体を保持し得る空間と、他の植物生育体保持部による植物生育体を保持し得る空間とが実質上分離している請求項１、２又は３記載の植物栽培装置。
【請求項５】
上記導水経路が、植物生育体保持部から、その側方外部の外部経路部を経て、下方位置の植物生育体保持部へ水系液体を導くものである請求項１乃至４の何れか１項に記載の植物栽培装置。
【請求項６】
上記植物生育体保持部を構成する生育体保持構造体と上記導水経路における上記外部経路部を構成する外部構造体が結合してなるものである請求項５記載の植物栽培装置。
【請求項７】
上記外部経路部に、水系液体を保水し得る保水体を備える請求項５又は６記載の植物栽培装置。
【請求項８】
上記植物生育体保持部が、その下方へ水系液体が透過し得る透水性構造部を備えており、上記導水経路は、上方位置の植物生育体保持部から前記透水性構造部を介して下方位置の植物生育体保持部へ水系液体を導くものである請求項１乃至４の何れか１項に記載の植物栽培装置。
【請求項９】
上記導水経路を通じて上方の植物生育体保持部から水系液体が導かれ得る植物生育体保持部のうち、その植物生育体保持部から更に下方位置の植物生育体保持部へ導水経路を通じて水系液体が導かれ得るもの以外の植物生育体保持部から水系液体が流下排水される排水経路を有する請求項１乃至８の何れか１項に記載の植物栽培装置。
【請求項１０】
全体がユニット状をなし、２以上を上下方向に配列した場合に、上側の植物栽培装置における上記排水経路を通じて排水される水系液体が、下側の植物栽培装置における上記受給水部に受け入れられ得るものである請求項９記載の植物栽培装置。
【請求項１１】
全体がユニット状をなし、被固定体に対し上下方向に配列した状態で固定する場合に、個々のユニット毎に被固定部に対し着脱可能に固定される請求項１乃至１０の何れか１項に記載の植物栽培装置。
【発明の詳細な説明】
【技術分野】
【０００１】
本発明は、植物生育体を用いて垂直面又は比較的急傾斜の面において対象植物の生育を行うことができる植物栽培装置に関する。
【背景技術】
【０００２】
建築物の屋上等を緑化するために、繊維が集合してなるマット体のような保水性植物生育マットが従来より用いられている。この種の保水性植物生育マットによる緑化は、建築物の屋上等に保水性植物生育マットを敷設し、給水、施肥等を行いつつ、その保水性植物生育マットにおいて植物を栽培することにより行われる。保水性植物生育マットを対象面に敷設して行うこのような緑化方法は、水平面や傾斜が緩やかな面に沿って平面的に植物栽培を行って緑化するのに適する。
【０００３】
例えば特開平１０−９８９１３号公報には、ビルの屋上など、土の上でなくても、その上に敷き詰めて水をやるだけで種から芽が出るようになるために、場所を選ばずに非常に簡単に植物を育成できる園芸用マットが開示されている。その園芸用マットは、植物性の繊維の不織布等からなり、発芽可能に種子を内装した保水性の育苗マットと、育苗マットを受けてそれに毛細管現象により水を供給する保水マットとからなるものである。
【０００４】
ところが、このような緑化方法は、立体的な構造体や垂直面若しくは比較的急傾斜の面の緑化には必ずしも適するものではない。
【０００５】
繊維が集合してなる一般的な保水性植物生育マットを、立体的な構造体やその他のものにおける壁面等の垂直面若しくは比較的急傾斜の面に沿って配設した場合や、保水性植物生育マットの高さを高くしたり保水性植物生育マットを高さ方向に積層した場合、給水された水系液体が、傾斜角度が比較的大きな保水性植物生育マット又は高さの高い保水性植物生育マットにおける下方部、或いは、高さ方向に積層した保水性植物生育マットにおける下方の保水性植物生育マットに集まりがちとなり、上方部に保持される水分量が不十分になるおそれがある。
【先行技術文献】
【特許文献】
【０００６】
【特許文献１】特開平１０−９８９１３号公報
【発明の概要】
【発明が解決しようとする課題】
【０００７】
本発明は、従来技術に存した上記のような課題に鑑み行われたものであり、植物生育体を用いて垂直面又は比較的急傾斜の面において、所定の箇所に給水することにより、対象植物を生育することが可能な植物栽培装置を提供することにある。
【課題を解決するための手段】
【０００８】
(1) 本発明の植物栽培装置は、
異なる上下方向位置に設けられた２以上の植物生育体保持部と、供給源から供給される水系液体を受け入れてそれを給水し得る受給水部とを備える植物栽培装置であって、
前記受給水部は、供給された水系液体を、前記植物生育体保持部のうち少なくとも最下位置の植物生育体保持部よりも上方の植物生育体保持部に対し給水し得るものであり、
前記受給水部から水系液体が供給される所定植物生育体保持部から、それよりも下方位置の植物生育体保持部に水系液体を導き得る導水経路を有することを特徴とする。
【０００９】
供給源から受給水部へ供給される水系液体は、受給水部に受け入れられた後、少なくとも最下位置の植物生育体保持部よりも上方の植物生育体保持部に対し給水される。
【００１０】
前記所定植物生育体保持部に対し給水された水系液体は、導水経路を通じて、その植物生育体保持部よりも下方位置の植物生育体保持部に導かれ得る。
【００１１】
(2) 上記植物栽培装置は、異なる上下方向位置に３以上の植物生育体保持部が設けられており、
受給水部から水系液体が供給される所定植物生育体保持部よりも下方に、異なる上下方向位置の２以上の植物生育体保持部を有し、
前記所定植物生育体保持部から、それよりも下方位置の植物生育体保持部に水系液体を導き得る導水経路の他に、前記所定植物生育体保持部から前記導水経路を通じて下方位置の植物生育体保持部に導かれた水系液体を、その植物生育体保持部から、それよりも下方位置の植物生育体保持部に導き得る導水経路を有するものとすることができる。
【００１２】
供給源から受給水部へ供給される水系液体は、受給水部に受け入れられた後、所定植物生育体保持部対し給水される。
【００１３】
前記所定植物生育体保持部に対し給水された水系液体は、導水経路を通じて、その所定植物生育体保持部よりも下方位置の植物生育体保持部に導かれ得、更にその植物生育体保持部に導かれた水系液体は、別の導水経路を通じて、その植物生育体保持部よりも下方位置の植物生育体保持部に導かれ得る。その植物生育体保持部よりも下方に更に１又は２以上の上下方向位置が異なる植物生育体保持部が存在する場合は、更にそれぞれ別の導水経路を通じて順次下方の植物生育体保持部に導かれ得る。
【００１４】
(3) 上記受給水部は、上記所定植物生育体保持部における所定の水平方向部分に沿うように配された流出部を有し、
前記受給水部に供給された水系液体は、前記流出部を通じて前記所定植物生育体保持部に供給されるものとすることができる。
【００１５】
受給水部における流出部は、給水対象である所定植物生育体保持部における所定の水平方向部分に沿うように配され、受給水部に供給された水系液体は、この流出部を通じて前記植物生育体保持部に給水されるので、その植物生育体保持部に保持された植物生育体のうち前記所定の水平方向部分に対応する部分に対する給水に、水平方向における偏りが生じることが可及的に防がれる。
【００１６】
(4) 本発明の植物栽培装置は、上記植物生育体保持部のうち、何れかの植物生育体保持部による植物生育体を保持し得る空間と、他の植物生育体保持部による植物生育体を保持し得る空間とが実質上分離しているものとすることができる。
【００１７】
この場合、異なる上下方向位置に設けられた植物生育体保持部のうち、何れかの植物生育体保持部に保持される植物生育体と、他の植物生育体保持部に保持される植物生育体とが実質上分離されるので、上方位置の植物生育体保持部に保持された植物生育体と下方位置の植物生育体保持部に保持された植物生育体が、例えば上下に接することにより上方の植物生育体が含んだ水系液体の相当部分が下方の植物生育体へ流下し易くなるという不都合が防がれる。
【００１８】
(5) 本発明の植物栽培装置は、上記導水経路が、植物生育体保持部から、その側方外部の外部経路部を経て、下方位置の植物生育体保持部へ水系液体を導くものとすることができる。
【００１９】
植物生育体保持部から下方位置の植物生育体保持部へ水系液体を導く導水経路は、上方に位置する植物生育体保持部から、その側方外部の外部経路部を経て下方位置の植物生育体保持部に達するものとすることができる。
【００２０】
(6) 上記(5)の植物栽培装置は、上記植物生育体保持部を構成する生育体保持構造体と上記導水経路における上記外部経路部を構成する外部構造体が結合してなるものとすることができる。
【００２１】
植物栽培装置が、植物生育体保持部を構成する生育体保持構造体と上記導水経路における上記外部経路部を構成する外部構造体が結合してなるものとすることにより、所望の構造の植物栽培装置を容易に製造することができる。
【００２２】
(7) 上記(5)又は(6)の植物栽培装置は、上記外部経路部に、所定量の水系液体を保持し得る保水体を備えるものとすることができる。
【００２３】
導水経路を構成する外部経路部に、水系液体を保水し得る保水体を備えることにより、植物生育体保持部から下方位置の植物生育体保持部へ水系液体を導く導水経路が、水系液体の保水にも用いられる。
【００２４】
(8) 本発明の植物栽培装置は、上記植物生育体保持部が、その下方へ水系液体が透過し得る透水性構造部を備えており、上記導水経路は、上方位置の植物生育体保持部から前記透水性構造部を介して下方位置の植物生育体保持部へ水系液体を導くものとすることができる。
【００２５】
植物生育体保持部が、その下方へ水系液体が透過し得る透水性構造部を備えることにより、上方位置の植物生育体保持部から前記透水性構造部を介して下方位置の植物生育体保持部へ水系液体を導くことができる。上下の植物生育体保持部に保持される植物生育体は実質上分離される。
【００２６】
(9) 本発明の植物栽培装置は、上記導水経路を通じて上方の植物生育体保持部から水系液体が導かれ得る植物生育体保持部のうち、その植物生育体保持部から更に下方位置の植物生育体保持部へ導水経路を通じて水系液体が導かれ得るもの以外の植物生育体保持部から水系液体が流下排水される排水経路を有するものとすることができる。
【００２７】
この場合、導水経路を通じて上方の植物生育体保持部から水系液体が導かれ得る植物生育体保持部のうち最下位置の植物生育体保持部の水系液体は、排水経路を通じて流下排水され得る。
【００２８】
(10) 上記(9)の植物栽培装置は、全体がユニット状をなし、２以上を上下方向に配列した場合に、上側の植物栽培装置における上記排水経路を通じて排水される水系液体が、下側の植物栽培装置における上記受給水部に受け入れられ得るものとすることができる。
【００２９】
この場合、２以上を上下方向に配列した場合に、排水経路を通じて排水される水系液体が、受給水部に受け入れられ得るものであるため、上下方向に配列した最上部のユニットの受給水部に水系液体を供給することにより、下方に配列された植物栽培装置の植物生育体保持部にも水系液体を給水することができる。
【００３０】
(11) 本発明の植物栽培装置は、全体がユニット状をなし、被固定体に対し上下方向に配列した状態で固定する場合に、個々のユニット毎に被固定部に対し着脱可能に固定されるものとすることができる。
【００３１】
(12) 本発明の植物栽培装置は、上記植物生育体保持部に、保水性を有し対象植物が生育し得る植物生育体が保持されたものとすることができる。
【００３２】
植物生育体保持部に、保水性を有し、（例えば対象植物の根や地下茎が張ることにより）対象植物が生育し得る植物生育体を保持させ、受給水部に水系液体を供給することにより、上記流出部及び上記導水経路をを介して、各植物生育体保持部に保持された植物生育体に給水してそれらの植物生育体において植物を生育させることができる。
【００３３】
(13) 上記(12)の植物栽培装置は、植物生育体保持部に保持された植物生育体と、その植物生育体保持部から、導水経路を介して水系液体が導かれる、前記植物生育体保持部よりも下方位置の植物生育体保持部に保持された植物生育体とが、実質上分離しているものとすることができる。
【００３４】
この場合、植物生育体保持部に保持された植物生育体と、その植物生育体保持部から、導水経路を介して水系液体が導かれる、前記植物生育体保持部よりも下方位置の植物生育体保持部に保持された植物生育体とが、実質上分離している。そのため、上方位置の植物生育体と下方位置の植物生育体が、例えば上下方向に接することにより上方の植物生育体が含んだ水系液体の相当部分が下方の植物生育体へ流下して上方の植物生育体の水分保有量が不十分となり易くなるという不都合が防がれる。
【００３５】
(14) 上記(12)又は(13)の植物栽培装置は、植物生育体保持部に保持された植物生育体が、植物を生育するための面として垂直状の面又は傾斜状の面を有するものとすることができる。
【００３６】
この場合、植物生育体保持部に保持された植物生育体が有する、外部に面する垂直状の面又は傾斜状の面において、植物を生育することができる。
【発明の効果】
【００３７】
本発明の植物栽培装置によれば、受給水部から所定植物生育体保持部に対し給水された水系液体は、導水経路を通じて、その植物生育体保持部よりも下方位置の植物生育体保持部に導かれ得るため、供給源から受給水部へ水系液体を供給することにより、上方位置の植物生育体保持部に保持された植物生育体と下方位置の植物生育体保持部に保持された植物生育体の何れにも水系液体を供給してそれらの植物生育体において植物の生育を行い得る。
【図面の簡単な説明】
【００３８】
【図１】植物栽培装置の分解斜視図である。
【図２】生育体保持構造体の正面図である。
【図３】生育体保持構造体の縦断面図である。
【図４】外部構造体の正面図である。
【図５】外部構造体の縦断面図である。
【図６】外部構造体の背面側斜視図である。
【図７】上下に連結した植物栽培装置の縦断面図である。
【図８】植物生育体及び保水体を保持した植物栽培装置の縦断面図である。
【図９】結合体の斜視図である。
【図１０】結合体の縦断面図である。
【図１１】支持固定器の側面図である。
【図１２】支持固定器の斜視図である。
【図１３】植物栽培装置の配列固定状態を示す模式図である。
【図１４】別の植物栽培装置の分解斜視図である。
【図１５】生育体保持構造体の背面側斜視図である。
【図１６】植物栽培装置の縦断面図である。
【図１７】植物生育体及び保水体を保持した植物栽培装置の縦断面図である。
【図１８】略円柱形状の植物生育体の拡大正面図である。
【図１９】別の植物栽培装置の縦断面図である。
【発明を実施するための形態】
【００３９】
１．本発明の実施の形態を説明する。
【００４０】
(1)  図１乃至図１３は、本発明の植物栽培装置の実施の形態の一例に関するものである。
【００４１】
(1-1)  本例の植物栽培装置は、生育体保持構造体Ａ、外部構造体Ｂ、植物生育体Ｊ１、植物生育体Ｊ２、保水体Ｋ、前面保持枠Ｎ、結合体Ｌ、固定ボルトＴ、及び、支持固定器Ｘ等からなる。本例において、生育体保持構造体Ａ、外部構造体Ｂ、及び結合体Ｌは合成樹脂製であり、植物生育体Ｊ１、植物生育体Ｊ２及び保水体Ｋは、不規則に集合した繊維が圧縮成形されてなる保水性のものであり、前面保持枠Ｎ、固定ボルトＴ、及び支持固定器Ｘは、何れも金属製であるが、何れもこれらの材料に限るものではない。
【００４２】
(1-1-1)  生育体保持構造体Ａは、主として、一定の前後方向幅を有する、四隅が面取りされた正面略方形状の保持構造体外枠部Ａｆと、その保持構造体外枠部Ａｆの両側の縦板部Ａｆ１間に架設された棚板体Ａｐと、保持構造体外枠部Ａｆの四隅部における対角線方向外方に突起する連結用孔部Ａａからなる。
【００４３】
棚板体Ａｐは、上下方向等間隔に５箇所に架設されている。各棚板体Ａｐは、保持構造体外枠部Ａｆの後端部に位置する垂下板部Ａｐ１と、その垂下板部Ａｐ１の上端から前方に向かって突設された水平板状部Ａｐ２と、水平板状部Ａｐ２の前端に設けられた上方突起部Ａｐ３からなる。水平板状部Ａｐ２の前端は、保持構造体外枠部Ａｆの前端位置よりもやや後方に位置する。各上方突起部Ａｐ３の前面に横方向間隔おきに設けられた尖頭状の突起Ａｐｐは、各棚板体Ａｐの前側に配される芝生等の栽培対象植物に対し後方から突き刺さるようにすることにより、栽培対象植物保持の補助とするものである。各棚板体Ａｐの横断面形状は、突起Ａｐｐを除き、生育体保持構造体Ａの全横幅にわたり一定である。
【００４４】
また、保持構造体外枠部Ａｆの底板部Ａｆ２のうち各棚板体Ａｐの上方突起部Ａｐ３に対応する部分に、同じく全横幅にわたり上方突起部Ａｆ４を有する。
【００４５】
植物生育体保持部Ａ１は、棚板体Ａｐと、保持構造体外枠部Ａｆにより構成される。各棚板体Ａｐ及び保持構造体外枠部Ａｆは、厚み方向に水系液体が透過しない材料からなる。
【００４６】
最上位置の植物生育体保持部Ａ１は、最上位置の棚板体Ａｐの水平板状部Ａｐ２及び上方突起部Ａｐ３並びに保持構造体外枠部Ａｆの天板部Ａｆ３と両縦板部Ａｆ１と面取り状の両隅部Ａｆ５により囲まれた部分である。
【００４７】
最上位置の植物生育体保持部Ａ１のうち、上方突起部Ａｐ３と天板部Ａｆ３の間、及び、水平板状部Ａｐ２の後端部と天板部Ａｆ３の間は、開口部である。
【００４８】
最上位置の植物生育体保持部Ａ１には、正面横長台形状の細幅板状をなす植物生育体Ｊ１が保持される。植物生育体Ｊ１の底部は水平板状部Ａｐ２により上向きに支持され、前側下部において上方突起部Ａｐ３により前方離脱が防がれ、両側部及び上部が、それぞれ、保持構造体外枠部Ａｆの両縦板部Ａｆ１及び隅部Ａｆ５並びに天板部Ａｆ３に接する状態又は圧接する状態で保持される。
【００４９】
上から２乃至５番目の位置（中間位置）の植物生育体保持部Ａ１は、上下に隣接する棚板体Ａｐのうち、上側の棚板体Ａｐの垂下板部Ａｐ１及び水平板状部Ａｐ２、下側の棚板体Ａｐの水平板状部Ａｐ２及び上方突起部Ａｐ３並びに保持構造体外枠部Ａｆの両縦板部Ａｆ１により囲まれた部分である。
【００５０】
中間位置の植物生育体保持部Ａ１のうち、下側の上方突起部Ａｐ３と上側の水平板状部Ａｐ２の間、及び、上側の垂下板部Ａｐ１と下側の水平板状部Ａｐ２の間は、開口部である。
【００５１】
中間位置の植物生育体保持部Ａ１には、正面横長方形状の細幅板状をなす植物生育体Ｊ１が、その底部が下側の水平板状部Ａｐ２により上向きに支持され、前側下部において下側の上方突起部Ａｐ３により前方離脱が防がれ、後側上部において上側の垂下板部Ａｐ１により後方離脱が防がれ、両側部及び上部がそれぞれ保持構造体外枠部Ａｆの両縦板部Ａｆ１及び上側の水平板状部Ａｐ２に接する状態又は圧接する状態で保持される。
【００５２】
最下位置の植物生育体保持部Ａ１は、保持構造体外枠部Ａｆの底板部Ａｆ２、上方突起部Ａｆ４、両縦板部Ａｆ１及び両隅部Ａｆ５並びに最下位置の棚板体Ａｐの水平板状部Ａｐ２及び垂下板部Ａｐ１により囲まれた部分である。
【００５３】
最下位置の植物生育体保持部Ａ１のうち、上方突起部Ａｆ４と最下位置の棚板体Ａｐの水平板状部Ａｐ２の間、及び、最下位置の棚板体Ａｐの垂下板部Ａｐ１と保持構造体外枠部Ａｆの底板部Ａｆ２の間は、開口部である。
【００５４】
最下位置の植物生育体保持部Ａ１には、正面逆横長台形状の細幅板状をなす植物生育体Ｊ１が、その底部が保持構造体外枠部Ａｆの底板部Ａｆ２により上向きに支持され、前側下部において上方突起部Ａｆ４により前方離脱が防がれ、後側上部において最下位置の棚板体Ａｐの垂下板部Ａｐ１により後方離脱が防がれ、両側部及び上部がそれぞれ保持構造体外枠部Ａｆの両縦板部Ａｆ１及び両隅部Ａｆ５並びに最下位置の棚板体Ａｐの水平板状部Ａｐ２に接する状態又は圧接する状態で保持される。
【００５５】
このように、各植物生育体保持部Ａ１による植物生育体を保持し得る空間は互いに分離している。また、各植物生育体保持部Ａ１に保持された植物生育体Ｊ１及び植物生育体Ｊ２は、互いに実質上分離している。各植物生育体保持部Ａ１に保持された植物生育体Ｊ１及び植物生育体Ｊ２は、何れも正面側の垂直状の面が、栽培対象植物を生育するための面である。
【００５６】
(1-1-2)  外部構造体Ｂを構成する一定の前後方向幅を有する正面方形状の外部構造体外枠部Ｂｆは、生育体保持構造体Ａに対し後方から外嵌する前側外枠部Ｂｆｆと、後側外枠部Ｂｆｒからなる。
【００５７】
前側外枠部Ｂｆｆの四隅部には、それぞれ円筒状の連結用孔部Ｂａが設けられている。連結用孔部Ｂａの後端は、前側外枠部Ｂｆｆの前後方向中間位置のやや後寄りに位置する。
【００５８】
後側外枠部Ｂｆｒは、両側の後部縦板部Ｂｆ１、後部底板部Ｂｆ２、及び、後部天板部Ｂｆ３、並びに、後部天板部Ｂｆ３の前端から上方に張り出した上垂直板部Ｂｆ４及び後部底板部Ｂｆ２の前端から下方に張り出した下垂直板部Ｂｆ５よりなる。後側外枠部Ｂｆｒは、両後部縦板部Ｂｆ１の前部並びに上垂直板部Ｂｆ４の上縁部と両側縁部及び下垂直板部Ｂｆ５の下縁部と両側縁部において前側外枠部Ｂｆｆの後側に接合して前側外枠部Ｂｆｆと一体状をなす。前側外枠部Ｂｆｆと一体状をなした状態において、前側外枠部Ｂｆｆの連結用孔部Ｂａの後端と、後側外枠部Ｂｆｒの上垂直板部Ｂｆ４及び下垂直板部Ｂｆ５のそれぞれ前面との間に空間が形成される。
【００５９】
後側外枠部Ｂｆｒは、主として、上下方向一定間隔おきに設けられた全横幅にわたる垂直板状の後板部Ｂｎと、各後板部Ｂｎの間にそれぞれ設けられた前方突出の棚状突部Ｂｐと、各後板部Ｂｎの前側に位置する外部経路部Ｂｓと、後部天板部Ｂｆ３上の上垂直板部Ｂｆ４の後側に設けられた受給水部Ｂｒと、下垂直板部Ｂｆ５に設けられた排水孔部Ｂｅを備える。後側外枠部Ｂｆｒの背面側は、補強及び補剛のために、水平リブＢｒｈと垂直リブＢｒｐが格子状をなすように形成されている。
【００６０】
棚状突部Ｂｐは、垂直状の前板部Ｂｐ１と、水平状の下板部Ｂｐ２と、水平状の上板部Ｂｐ３からなる。下板部Ｂｐ２は、後板部Ｂｎの上端部と前板部Ｂｐ１の下端部にわたり、上板部Ｂｐ３は、後板部Ｂｎの下端部と前板部Ｂｐ１の上端部にわたる。
【００６１】
最上位置の外部経路部Ｂｓは、後板部Ｂｎの前側のうち、後側外枠部Ｂｆｒの後部天板部Ｂｆ３、両後部縦板部Ｂｆ１及び最上位置の棚状突部Ｂｐの上板部Ｂｐ３により囲まれた前方開口の溝状の凹部である。
【００６２】
最上位置の外部経路部Ｂｓには、正面横長方形状の細幅板状をなす保水体Ｋが、その底部が上板部Ｂｐ３により上向きに支持され、後部において後板部Ｂｎにより後方離脱が防がれ、両側部及び上部がそれぞれ後側外枠部Ｂｆｒの両後部縦板部Ｂｆ１及び後部天板部Ｂｆ３に接する状態又は圧接する状態で保持される。
【００６３】
上から２乃至４番目の位置（中間位置）の外部経路部Ｂｓは、上下に隣接する棚状突部Ｂｐのうち、上側の棚状突部Ｂｐの下板部Ｂｐ２、下側の棚状突部Ｂｐの上板部Ｂｐ３、両後部縦板部Ｂｆ１及び後板部Ｂｎにより囲まれた前方開口の溝状の凹部である。
【００６４】
中間位置の外部経路部Ｂｓには、保水体Ｋが、その底部が上板部Ｂｐ３により上向きに支持され、後部において後板部Ｂｎにより後方離脱が防がれ、両側部及び上部がそれぞれ両後部縦板部Ｂｆ１及び下板部Ｂｐ２に接する状態又は圧接する状態で保持される。
【００６５】
最下位置の外部経路部Ｂｓは、後板部Ｂｎの前側のうち、後側外枠部Ｂｆｒの後部底板部Ｂｆ２、両後部縦板部Ｂｆ１及び最下位置の棚状突部Ｂｐの下板部Ｂｐ２により囲まれた前方開口の溝状の凹部である。
【００６６】
最下位置の外部経路部Ｂｓには、保水体Ｋが、その底部が後部底板部Ｂｆ２により上向きに支持され、後部において後板部Ｂｎにより後方離脱が防がれ、両側部及び上部がそれぞれ両後部縦板部Ｂｆ１及び下板部Ｂｐ２に接する状態又は圧接する状態で保持される。
【００６７】
何れの外部経路部Ｂｓも、後側上部及び両側上部において、それぞれ、各後板部Ｂｎに横方向に満遍なく設けた通気孔Ｂｎ１及び後部縦板部Ｂｆ１に設けた通気孔Ｂｆ１ａを通じて外部との間に通気性が与えられている。
【００６８】
受給水部Ｂｒは、後部天板部Ｂｆ３上における上垂直板部Ｂｆ４の水平方向全長にわたる後側に、上垂直板部Ｂｆ４に沿って上方開口の溝状に設けられている。受給水部Ｂｒの両端には、上方開口のＵ字状切欠部Ｂｒｗ１を有する端壁部Ｂｒｗが形成されている。
【００６９】
受給水部Ｂｒの前壁である上垂直板部Ｂｆ４には、Ｕ字状切欠部Ｂｒｗ１の最下点よりも低い一定高さ位置における横方向全長にわたり（給水対象である最上位置の植物生育体保持部Ａ１における所定の水平方向部分に沿うように）、横長の同一形状の多数の吐出小孔Ｂｒｄ（流出部）が等間隔に形成されている。
【００７０】
受給水部Ｂｒ内の溝長方向における等間隔位置に、前後壁及び底板にわたる補強板Ｂｒｒが設けられている。これらの補強板Ｂｒｒには、最下点が吐出小孔Ｂｒｄよりも低い上方開口の切欠部Ｂｒｒ１が形成されている。
【００７１】
排水孔部Ｂｅは、下垂直板部Ｂｆ５の下端位置に水平方向等間隔に多数設けられている。
【００７２】
(1-1-3)  図７及び図８に示されるように、外部構造体外枠部Ｂｆのうち前側外枠部Ｂｆｆを、保持構造体外枠部Ａｆに対し後方から外嵌することにより、生育体保持構造体Ａの後側に外部構造体Ｂの後部が結合した状態となる。
【００７３】
この状態において、各植物生育体保持部Ａ１の後側の下部に各外部経路部Ｂｓの前側の上部が相対し、各植物生育体保持部Ａ１の後側の上部に各外部経路部Ｂｓの前の下部が相対する。
【００７４】
植物栽培に用いる場合、図８に示されるように、生育体保持構造体Ａの各植物生育体保持部Ａ１に植物生育体Ｊ１又は植物生育体Ｊ２が保持された状態とすることができる。
【００７５】
この場合、各植物生育体保持部Ａ１に保持された植物生育体Ｊ１又は植物生育体Ｊ２の後面の上下中間位置に、外部構造体Ｂにおける棚状突部Ｂｐの前板部Ｂｐ１が相対又は相接し、各外部経路部Ｂｓに保持された保水体Ｋの前面の上下中央から下方にわたる位置に、生育体保持構造体Ａにおける棚板体Ａｐの垂下板部Ａｐ１が相対又は相接する状態となる。
【００７６】
またこの場合、最上位置の植物生育体Ｊ１の後面に上垂直板部Ｂｆ４が相対又は相接してその植物生育体Ｊ１の後面上部に吐出小孔Ｂｒｄが臨み、最下位置の植物生育体Ｊ１の後面に下垂直板部Ｂｆ５が相対又は相接してその植物生育体Ｊ１の後面下端部に排水孔部Ｂｅが臨む状態となる。
【００７７】
更に、外部構造体Ｂにおける各外部経路部Ｂｓに保水体Ｋが保持された状態とした場合、植物生育体Ｊ１又は植物生育体Ｊ２の後面下部と保水体Ｋの前面上部が相対又は相接し、植物生育体Ｊ１又は植物生育体Ｊ２の後面上部と保水体Ｋの前面下部が相対又は相接する状態となる。
【００７８】
(1-1-4)  本例では、芝（芝生）やその他の地被植物を栽培する場合は、各植物生育体保持部Ａ１に保持された植物生育体Ｊ１及び植物生育体Ｊ２の前面に芝生等の栽培対象植物を配した上で、その芝生等の栽培対象植物の脱落を防ぐために、生育体保持構造体Ａの前側に、方形枠の四隅の突起部に連結用孔部Ｎａを有すると共に対角線方向の交差部を有する金属線状材製の前面保持枠Ｎを配する。前面保持枠Ｎの連結用孔部Ｎａは、生育体保持構造体Ａの連結用孔部Ａａ及び外部構造体Ｂの連結用孔部Ｂａと同軸状に重なり合った状態とする。これらの同軸状に重なり合った状態の連結用孔部Ｎａ、連結用孔部Ａａ及び連結用孔部Ｂａの各孔に結合体Ｌを貫通させてそれらを連結することにより、ユニット状の植物栽培装置Ｕ１とすることができる。
【００７９】
(1-1-5)  結合体Ｌは、ポリプロピレン樹脂を一体成形してなるものであり、軸状部Ｌ１と基端側外方張出部Ｌ２と抜止部Ｌ３と貫通部Ｌ４を有する。
【００８０】
基端側外方張出部Ｌ２は、結合体Ｌの基端に位置し、連結用孔部Ｎａの孔径より外径が大きな円環板状をなす。
【００８１】
軸状部Ｌ１は、基端側外方張出部Ｌ２の先端側中央部に、先端に向かって垂直状に設けられている。
【００８２】
貫通部Ｌ４は、基端側外方張出部Ｌ２の中央部及び軸状部Ｌ１の中心線上を、結合体Ｌの軸方向の基端から先端まで軸方向に貫通する円柱状空間を形成する。
【００８３】
軸状部Ｌ１は、基端側外方張出部Ｌ２の先端側の面から結合体Ｌの軸方向に伸びる一対の脚部Ｌ１ａからなる。両脚部Ｌ１ａは、それぞれ結合体Ｌの軸方向に垂直な方向の横断面形状が略円弧状をなし、両脚部Ｌ１ａの横断面における両端部は、所定間隔を挟んで対称状に相対する。各脚部Ｌ１ａは、先端が自由端であり、先端側が径方向内方へ弾性的に撓み得る。貫通部Ｌ４は、両脚部Ｌ１ａの横断面における端部同士の間において径方向外方に露出する。
【００８４】
抜止部Ｌ３は、軸状部Ｌ１の先端側部分により構成され、基端側外方張出部Ｌ２との間に対象物を挟む先端側外方張出部Ｌ３ａを有すると共に内方へ弾性的に撓み得るものである。先端側外方張出部Ｌ３ａは、各脚部Ｌ１ａの先端から基端側に向かって漸次側方に膨出するよう形成されている。
【００８５】
四隅部において同軸状に次の順で重なり合った状態の連結用孔部Ｎａ、連結用孔部Ａａ及び連結用孔部Ｂａの孔に対し、連結用孔部Ｎａの側から、結合体Ｌの軸状部Ｌ１を挿入すると、結合体Ｌの抜止部Ｌ３が内方へ弾性的に撓むことによって、先端側外方張出部Ｌ３ａはこれらの孔部の孔を順に通過して連結用孔部Ｂａの後側に達し得る。結合体Ｌの挿入は、基端側外方張出部Ｌ２が連結用孔部Ｎａの孔の外周部に受止されることにより止まる。
【００８６】
先端側外方張出部Ｌ３ａが連結用孔部Ｂａの後方開口から出て抜止部Ｌ３が内方撓み状態から復元することにより、先端側外方張出部Ｌ３ａは側方へ広がって連結用孔部Ｂａの後方開口を逆向きに通過し得ないものとなり、先端側外方張出部Ｌ３ａと基端側外方張出部Ｌ２との間に、前面保持枠Ｎ、生育体保持構造体Ａ及び外部構造体Ｂを挟んでそれらを連結する状態となり、ユニット状の植物栽培装置Ｕ１が得られる。
【００８７】
(1-1-6)  このユニット状の植物栽培装置Ｕ１は、例えば、図１、７、１１及び１２に示すような支持固定器Ｘを用いて、図１３に示すように壁面等に対し所要数を上下左右に配列して固定することができる。
【００８８】
この支持固定器Ｘは、前方に突出する水平板状の前支持部Ｘ１と、後方に延びる水平板状の被支持部Ｘ２と、前支持部Ｘ１の後端縁からそれぞれ上下に突出する垂直板状の上被固定部Ｘ３及び下被固定部Ｘ４からなる。
【００８９】
被支持部Ｘ２の後端部の両側には、それぞれ固定用孔Ｘａが設けられている。
【００９０】
上被固定部Ｘ３及び下被固定部Ｘ４のそれぞれ上下中間位置の両側にナット用孔Ｘｂが形成され、その背面側に、ナット用孔Ｘｂと同軸状に固定ナットＸｃが固着されている。
【００９１】
壁面Ｗに対する支持固定器Ｘの固定は、図７に示すように、例えば、山形鋼Ｙ（Ｌ形鋼）を介して行うことができる。すなわち、山形鋼Ｙの一辺部Ｙ１の外側面を、他辺部Ｙ２が上方に位置するように壁面Ｗに当接させてその壁面Ｗ対し水平状に固定し、支持固定器Ｘの被支持部Ｘ２が他辺部Ｙ２上に支持されるように例えばボルトとナット等により固定することにより、壁面Ｗに対する支持固定器Ｘの固定を行うことができる。
【００９２】
例えば、植物栽培装置Ｕ１の高さに対応する上下方向位置毎に、山形鋼Ｙ（Ｌ形鋼）を前記のように壁面Ｗに対し水平状に固定し、各山形鋼Ｙにおける植物栽培装置Ｕ１の横幅に対応する所定の水平方向位置毎に、前記のように支持固定器Ｘを固定することができる。
【００９３】
その上で、水平方向に隣接する一対の支持固定器Ｘと、それらの垂直下方に隣接する一対の支持固定器Ｘに対し、植物栽培装置Ｕ１の四隅部を固定する。すなわち、植物栽培装置Ｕ１の四隅部の連結用孔部Ｎａ、連結用孔部Ａａ及び連結用孔部Ｂａを連結している結合体Ｌにおける貫通部Ｌ４に対しそれぞれ固定ボルトＴを挿通し、下側の一対の支持固定器Ｘの前支持部Ｘ１上に植物栽培装置Ｕ１の下端の両側端部を支持させ、左側の上下の固定ボルトＴを左側の上下の支持固定器Ｘにおけるそれぞれ右側の固定ナットＸｃに締結し、右側の上下の固定ボルトＴを右側の上下の支持固定器Ｘにおけるそれぞれ左側の固定ナットＸｃに締結することにより、支持固定器Ｘによる植物栽培装置Ｕ１の支持及び支持固定器Ｘに対する植物栽培装置Ｕ１の固定を行うことができる。同様に、全ての植物栽培装置Ｕ１を上下左右に隣接配列して支持固定器Ｘにより支持させると共に支持固定器Ｘに固定することができる。このように隣接配列された植物栽培装置Ｕ１の四隅の連結用孔部Ｎａ、結合体Ｌ及び固定ボルトＴは、前面保持枠Ｎの四隅の前面部にカバー材Ｖを取り付けることにより覆うことができる。
【００９４】
また、上下左右に隣接配列して支持固定器Ｘによる支持及び支持固定器Ｘに対する固定がなされたユニット状の植物栽培装置Ｕ１の何れかを単独で取り外すことができ、取り外した植物栽培装置Ｕ１に代えて別のユニット状の植物栽培装置Ｕ１を取り付けることもできる。そのため、一部の植物栽培装置Ｕ１における植物栽培に何らかの不都合があった場合などにおいて、容易に交換可能である。
【００９５】
植物栽培装置Ｕ１の結合体Ｌにおける貫通部Ｌ４に固定ボルトＴを挿通した状態においては、固定ボルトＴの軸部が抜止部Ｌ３の内方に位置することにより、抜止部Ｌ３が内方へ撓んで結合体Ｌが連結用孔部Ｎａ・Ａａ・Ｂａから脱落することが防がれる。それにより、連結用孔部Ｎａ・Ａａ・Ｂａの重合連結が解除されて前面保持枠Ｎ、生育体保持構造体Ａ及び外部構造体Ｂが分離することが防がれる。一方、固定ボルトＴを貫通部Ｌ４から抜いて結合体Ｌの抜止部Ｌ３を内方へ撓ませることにより、結合体Ｌを連結用孔部Ｎａ・Ａａ・Ｂａから抜き取って前面保持枠Ｎ、生育体保持構造体Ａ、及び外部構造体Ｂを分離させることができる。
【００９６】
(1-1-7)  本例において、プラグ苗のように嵌合用の孔に挿入固定して栽培する苗やその他の状態の各種植物を栽培する場合、例えば、植物生育体Ｊ１及び植物生育体Ｊ２において長手方向に配列された前後方向貫通の略円周状の切込部（例えば１８０度中心角或いはその他の中心角毎に非切断部[結合部]を設けた略円周状の切込部）に囲繞された円板状部Ｊｃを抜き取り、それによって形成された孔にプラグ苗等の栽培植物の根部を挿入して栽培を行うことができる。栽培植物の根部は、円板状部Ｊｃが抜き取られた孔に挿入されることにより植物生育体Ｊ１又は植物生育体Ｊ２に固定され得るサイズであることが好ましい。
【００９７】
前面マットＭ１は、各植物生育体Ｊ１及び植物生育体Ｊ２における抜き取り可能な円板状部Ｊｃの上下方向位置に合わせて横長切込Ｍｃが設けられ、それらの円板状部Ｊｃの水平方向位置に合わせて、横長切込Ｍｃに交差する縦切込Ｍｒが設けられた繊維製のマットである。前面マットＭ１は、各植物生育体保持部Ａ１に保持された植物生育体Ｊ１又は植物生育体Ｊ２の前面に配することができる。その場合、円板状部Ｊｃが抜き取られて形成された孔に根部が挿入された栽培対象植物の茎の基部等を、前面マットＭ１における横長切込Ｍｃと縦切込Ｍｒにおいて保持させることができる。
【００９８】
その上で、生育体保持構造体Ａにおける前面マットＭ１の前側に栽培植物及び前面マットＭ１の脱落を防ぐための前面保持枠Ｎを配する。更に、前面保持枠Ｎの連結用孔部Ｎａ、生育体保持構造体Ａの連結用孔部Ａａ、外部構造体Ｂの連結用孔部Ｂａを同軸状に重ね合わせ、それらの孔部（被連結部）に結合体Ｌを貫通させて前面保持枠Ｎ、生育体保持構造体Ａ及び外部構造体Ｂを連結し、ユニット状の植物栽培装置Ｕ１とすることができる。これを壁面等に対し固定する場合は、前記のように、結合体Ｌの貫通孔に固定ボルトＴを挿通して壁面等に対し固定された支持固定器Ｘ等に締結固定することができ、壁面等に対し所要数を上下左右に配列して固定することもできる。
【００９９】
(1-2)  植物栽培装置Ｕ１における受給水部Ｂｒ内に、例えば側壁に多数の給水孔を有する給水管又はその他の手段によって、水（或いは、例えば液肥等を含んだ水系液体、又はその他の水系液体）を供給することにより受給水部Ｂｒ内の水位が吐出小孔Ｂｒｄ以上となると、吐出小孔Ｂｒｄから、最上位置の植物生育体保持部Ａ１に保持された植物生育体Ｊ１の後面上部に水が供給される。補強板Ｂｒｒの切欠部Ｂｒｒ１の最下点は吐出小孔Ｂｒｄよりも低いので、植物栽培装置Ｕ１が横方向に水平な状態であれば水平方向に等間隔に配された全ての吐出小孔Ｂｒｄから同等に水が供給される。
【０１００】
最上位置の植物生育体Ｊ１に供給された水は、植物生育体Ｊ１に吸収されるが、吸収しきれない水は、その植物生育体Ｊ１を支持する水平板状部Ａｐ２の後方へ流出し、最上位置の外部経路部Ｂｓに保持された保水体Ｋに吸収される。更に、その保水体Ｋに吸収しきれない水は、棚状突部Ｂｐの上板部Ｂｐ３の前方へ流出し、上から２番目の位置の植物生育体保持部Ａ１に保持された植物生育体Ｊ２に吸収される。
【０１０１】
すなわち、最上位置の植物生育体保持部Ａ１から、最上位置の外部経路部Ｂｓを経、上から２番目の位置の植物生育体保持部Ａ１に至る経路が、受給水部から水系液体が供給される所定植物生育体保持部から、それよりも下方位置の植物生育体保持部に水系液体を導き得る導水経路を構成する。
【０１０２】
また、上から２番目の位置の植物生育体保持部Ａ１に保持された植物生育体Ｊ２に導かれた水は、植物生育体Ｊ２に吸収されるが、吸収しきれない水は、その植物生育体Ｊ２を支持する水平板状部Ａｐ２の後方へ流出し、上から２番目の位置の外部経路部Ｂｓに保持された保水体Ｋに吸収される。更に、その保水体Ｋに吸収しきれない水は、棚状突部Ｂｐの上板部Ｂｐ３の前方へ流出し、上から３番目の位置の植物生育体保持部Ａ１に保持された植物生育体Ｊ２に吸収される。
【０１０３】
すなわち、上から２番目の位置の植物生育体保持部Ａ１から、上から２番目の外部経路部Ｂｓを経、上から３番目の位置の植物生育体保持部Ａ１に至る経路が、所定植物生育体保持部から導水経路を通じて下方位置の植物生育体保持部に導かれた水系液体を、その植物生育体保持部から、それよりも下方位置の植物生育体保持部に導き得る導水経路を構成する。
【０１０４】
このようにして、順に上方から下方へ、植物生育体Ｊ１又は植物生育体Ｊ２から保水体Ｋ、保水体Ｋから植物生育体Ｊ２又は植物生育体Ｊ１へと給水され、各植物生育体Ｊ１及び植物生育体Ｊ２において生育する栽培対象植物の灌水に利用される。
【０１０５】
底板部Ａｆ２上の最下位置の植物生育体保持部Ａ１に保持された植物生育体Ｊ１から流出する水は、下垂直板部Ｂｆ５の下端位置に設けられた排水孔部Ｂｅを通じて外部構造体Ｂの後側外枠部Ｂｆｒの下方へ流出する（すなわち、底板部Ａｆ２上の植物生育体保持部Ａ１から排水孔部Ｂｅを通じて外部構造体Ｂの後側外枠部Ｂｆｒの下方に至る排水経路を通じて流下排水される）。下方隣接位置に植物栽培装置Ｕ１が配置されている場合は、排水孔部Ｂｅを通じて流出した水は下側の植物栽培装置Ｕ１の受給水部Ｂｒ内に供給され、上側の植物栽培装置Ｕ１と同様に植物生育体Ｊ１、植物生育体Ｊ２及び保水体Ｋに順次供給される。
【０１０６】
なお、上記のように順次下方へ流れる水の一部は、植物生育体Ｊ１又は植物生育体Ｊ２の後面沿いに流下して保水体Ｋや他の植物生育体Ｊ２又は植物生育体Ｊ１に吸収されること、保水体Ｋの後面沿いに流下して植物生育体Ｊ２又は植物生育体Ｊ１や他の保水体Ｋに吸収されること、或いは、そのような水の一部が何れにも吸収されずに排水孔部Ｂｅに至ること等が生じ得る。
【０１０７】
(2)  図１４乃至１８は、本発明の植物栽培装置の実施の形態の別の例に関するものである。
【０１０８】
(2-1)  本例の植物栽培装置は、生育体保持構造体Ｃ、外部構造体Ｂ、略円柱形状の植物生育体Ｊ３、保水用板状体Ｊ４、保水体Ｋ、前面保持枠Ｎ、結合体Ｌ、固定ボルトＴ、及び、支持固定器Ｘ等からなる。本例において、生育体保持構造体Ｃ、外部構造体Ｂ、及び結合体Ｌは合成樹脂製であり、略円柱形状の植物生育体Ｊ３は、図１８に示されるように、不規則に集合した繊維が圧縮成形されてなる板形状体が巻回されて略円柱形状をなすものであり、保水用板状体Ｊ４及び保水体Ｋは、不規則に集合した繊維が圧縮成形されてなるものであり、前面保持枠Ｎ、固定ボルトＴ、及び支持固定器Ｘは、何れも金属製であるが、何れもこれらの材料に限るものではない。
【０１０９】
本例は、基本的に、上記図１乃至図１３の例における生育体保持構造体Ａ並びにそれに保持された植物生育体Ｊ１及び植物生育体Ｊ２を、生育体保持構造体Ｃ、植物生育体Ｊ３及び保水用板状体Ｊ４に置き換えたものである。
【０１１０】
(2-1-1)  生育体保持構造体Ｃは、主として、一定の前後方向幅を有する、正面略方形状の保持構造体外枠部Ｃｆと、その保持構造体外枠部Ｃｆの両側の縦板部Ｃｆ１間に架設された上棚板体Ｃｐａ、中棚板体Ｃｐｂ及び下棚板体Ｃｐｃと、仕切壁Ｃｈ１と、湾曲上板Ｃｈ２と、保持構造体外枠部Ｃｆの四隅部における対角線方向外方突起部に形成された連結用孔部Ｃａからなる。
【０１１１】
上棚板体Ｃｐａ、中棚板体Ｃｐｂ及び下棚板体Ｃｐｃは、それぞれ、水平板状部Ｃｐ１と、前端部の全横方向長にわたる上方突起部Ｃｐ２からなる。上棚板体Ｃｐａ及び中棚板体Ｃｐｂの水平板状部Ｃｐ１の後端部は保持構造体外枠部Ｃｆの後端位置に一致する。下棚板体Ｃｐｃの水平板状部Ｃｐ１は、保持構造体外枠部Ｃｆの底板部Ｃｆ２のやや上方に位置し、その後端部には横長切欠部Ｃｐｘが形成されている。そのため下棚板体Ｃｐｃの水平板状部Ｃｐ１の後端縁は、両端部を除き、保持構造体外枠部Ｃｆの底板部Ｃｆ２の後端縁よりもやや前方に位置する。 
【０１１２】
各水平板状部Ｃｐ１の横方向等間隔おきの４箇所の上方に、横方向に対し直交する垂直状の仕切壁Ｃｈ１が設けられている。各仕切壁Ｃｈ１の下縁は上方突起部Ｃｐ２の上縁と同等の高さで水平状をなし、各仕切壁Ｃｈ１の前端部下縁は上方突起部Ｃｐ２の上部に連結している。各仕切壁Ｃｈ１の前縁は上方突起部Ｃｐ２の前面に続いて上方に垂直状に連続する。各仕切壁Ｃｈ１の後縁は、上部が、後方に突出して水平板状部Ｃｐ１の後縁よりも前方に位置する。
【０１１３】
隣り合う仕切壁Ｃｈ１の上端部同士の間、及び仕切壁Ｃｈ１の上端部と、それに隣接する縦板部Ｃｆ１の間には、上に凸に湾曲した湾曲上板Ｃｈ２が設けられている。各湾曲上板Ｃｈ２の横方向中央部は、それぞれの直上に位置する保持構造体外枠部Ｃｆの天板部Ｃｆ３、上棚板体Ｃｐａ又は中棚板体Ｃｐｂに、垂直板状部を介して結合されている。
【０１１４】
植物生育体保持部Ｃ１は、各棚板体の水平板状部Ｃｐ１及び上方突起部Ｃｐ２と、保持構造体外枠部Ｃｆの両縦板部Ｃｆ１と、各棚板体の上方の各仕切壁Ｃｈ１及び各湾曲上板Ｃｈ２により囲まれた部分である。本例における上棚板体Ｃｐａ、中棚板体Ｃｐｂ及び下棚板体Ｃｐｃ、仕切壁Ｃｈ１、湾曲上板Ｃｈ２及び保持構造体外枠部Ｃｆは、厚み方向に水系液体が透過しない材料からなる。
【０１１５】
植物生育体保持部Ｃ１には、保水用板状体Ｊ４と、略円柱形状の植物生育体Ｊ３が保持される。保水用板状体Ｊ４は、水平板状部Ｃｐ１の上面と各仕切壁Ｃｈ１の下端部の間において、保持構造体外枠部Ｃｆの両縦板部Ｃｆ１間にわたり水平状に配置される。各植物生育体Ｊ３は、その保水用板状体Ｊ４の上側であって各湾曲上板Ｃｈ２の下側における、隣り合う縦板部Ｃｆ１と仕切壁Ｃｈ１の間、及び、隣り合う仕切壁Ｃｈ１同士の間に、略円柱形状の軸線方向が前後方向をなすように配される。
【０１１６】
このように、各植物生育体保持部Ｃ１による植物生育体を保持し得る空間は互いに上下に分離している。また、各植物生育体保持部Ｃ１に保持された植物生育体Ｊ３は、互いに上下方向に実質上分離している。各植物生育体保持部Ｃ１に保持された植物生育体Ｊ３は、何れも正面側の垂直状の面が、栽培対象植物を生育するための面である。
【０１１７】
(2-1-2)  図１６及び図１７に示されるように、外部構造体外枠部Ｂｆのうち前側外枠部Ｂｆｆを、保持構造体外枠部Ｃｆに対し後方から外嵌することにより、生育体保持構造体Ｃの後側に外部構造体Ｂの後部が結合した状態となる。
【０１１８】
本例の場合、上から２番目及び４番目の後板部Ｂｎの前側にそれぞれ位置する前方開口の溝状の凹部が、何れも外部経路部Ｂｓである。一方、上から１番目、３番目及び５番目の後板部Ｂｎの前側にそれぞれ位置する前方開口の溝状の凹部は、保水体保持部Ｂｈである。
【０１１９】
この状態において、上位置の植物生育体保持部Ｃ１の後側の下部に、上位置の外部経路部Ｂｓの前側の上部が相対し、その上位置の外部経路部Ｂｓの前側の下部に、中位置の植物生育体保持部Ｃ１の後側の上部が相対する。その中位置の植物生育体保持部Ｃ１の後側の下部には、下位置の外部経路部Ｂｓの前側の上部が相対し、その下位置の外部経路部Ｂｓの前側の下部には、下位置の植物生育体保持部Ｃ１の後側の上部が相対する。
【０１２０】
植物栽培に用いる場合、図１７に示されるように、生育体保持構造体Ｃの各植物生育体保持部Ｃ１に略円柱形状の植物生育体Ｊ３と保水用板状体Ｊ４が前記のように保持された状態とすることができる。
【０１２１】
この場合、外部構造体Ｂにおける上から１番目の棚状突部Ｂｐの前板部Ｂｐ１は上位置の植物生育体保持部Ｃ１に保持された略円柱形状の植物生育体Ｊ３の下部と保水用板状体Ｊ４の上部の後面にわたり相対又は相接し、上から２番目の棚状突部Ｂｐの前板部Ｂｐ１は中位置の植物生育体保持部Ｃ１に保持された略円柱形状の植物生育体Ｊ３の上部の後面に相対又は相接し、上から３番目の棚状突部Ｂｐの前板部Ｂｐ１は中位置の植物生育体保持部Ｃ１に保持された略円柱形状の植物生育体Ｊ３の下部と保水用板状体Ｊ４の上部及び中部の後面にわたり相対又は相接し、最下位置の棚状突部Ｂｐの前板部Ｂｐ１は下位置の植物生育体保持部Ｃ１に保持された略円柱形状の植物生育体Ｊ３の上部の後面に相対又は相接する状態となる。
【０１２２】
またこの場合、上位置の植物生育体保持部Ｃ１に保持された略円柱形状の植物生育体Ｊ３の上部後面に上垂直板部Ｂｆ４が相対又は相接してその植物生育体Ｊ１の上部後面に吐出小孔Ｂｒｄが臨む。また、下位置の植物生育体保持部Ｃ１に保持された略円柱形状の植物生育体Ｊ３の下端部と保水用板状体Ｊ４の後面に下垂直板部Ｂｆ５の上部が相対又は相接し、下棚板体Ｃｐｃの水平板状部Ｃｐ１と保持構造体外枠部Ｃｆの底板部Ｃｆ２にわたる部分の後側には、下垂直板部Ｂｆ５の下部が位置し且つ排水孔部Ｂｅが臨む状態となる。
【０１２３】
更に、外部構造体Ｂにおける各外部経路部Ｂｓ及び各保水体保持部Ｂｈに保水体Ｋが保持された状態とした場合、上位置の植物生育体保持部Ｃ１に保持された保水用板状体Ｊ４の下部後面と上位置の外部経路部Ｂｓに保持された保水体Ｋの上部前面が相対又は相接し、その保水体Ｋの下部前面は、中位置の植物生育体保持部Ｃ１に保持された略円柱形状の植物生育体Ｊ３の上部後面と相対又は相接する状態となり、中位置の植物生育体保持部Ｃ１に保持された保水用板状体Ｊ４の下部後面と下位置の外部経路部Ｂｓに保持された保水体Ｋの上部前面が相対又は相接し、その保水体Ｋの下部前面は、下位置の植物生育体保持部Ｃ１に保持された略円柱形状の植物生育体Ｊ３の上部後面と相対又は相接する状態となる。
【０１２４】
また、上、中、下の各保水体保持部Ｂｈに保持された保水体Ｋの前面は、それぞれ、上、中、下の各植物生育体保持部Ｃ１に保持された略円柱形状の植物生育体Ｊ３の後面に相対又は相接する状態となる。
【０１２５】
(2-1-3)  本例では、例えば、板形状体が巻回されてなる略円柱形状の植物生育体Ｊ３の前面における、中央部や径方向に層状をなす湾曲した板形状体同士の間の何れか１又は２以上の箇所に、プラグ苗のように嵌合用の孔に挿入固定して栽培する苗やその他の状態の各種植物の根部を挿入することにより、それらの植物の栽培を行うことができる。
【０１２６】
前面マットＭ２は、各植物生育体Ｊ３の中心の上下方向位置に合わせて横長切込Ｍｃが設けられ、各植物生育体Ｊ３の中心の水平方向位置に合わせて、横長切込Ｍｃに交差する縦切込Ｍｒが設けられた繊維製のマットである。前面マットＭ２は、各植物生育体保持部Ｃ１に保持された植物生育体Ｊ３及び保水用板状体Ｊ４の前面に配することができる。その場合、各植物生育体Ｊ３に対し根部が挿入された栽培対象植物の茎の基部等を、前面マットＭ２における横長切込Ｍｃと縦切込Ｍｒにおいて保持させることができる。
【０１２７】
その上で、生育体保持構造体Ｃにおける前面マットＭ２の前側に栽培植物及び前面マットＭ２の脱落を防ぐための前面保持枠Ｎを配する。更に、前面保持枠Ｎの連結用孔部Ｎａ、生育体保持構造体Ｃの連結用孔部Ｃａ、外部構造体Ｂの連結用孔部Ｂａを同軸状に重ね合わせ、それらの孔部（被連結部）に結合体Ｌを貫通させて前面保持枠Ｎ、生育体保持構造体Ｃ及び外部構造体Ｂを連結し、ユニット状の植物栽培装置Ｕ２とすることができる。これを壁面等に対し固定する場合は、前記の例と同様に、生育体保持構造体Ｃ及び結合体Ｌの貫通孔に固定ボルトＴを挿通して壁面等に対し固定された支持固定器Ｘ等に締結固定することができ、壁面等に対し所要数を上下左右に配列して固定することもできる。
【０１２８】
(2-2)  植物栽培装置Ｕ２における受給水部Ｂｒ内に水（或いは、例えば液肥等を含んだ水系液体、又はその他の水系液体）を供給することにより受給水部Ｂｒ内の水位が吐出小孔Ｂｒｄ以上となると、吐出小孔Ｂｒｄから、上位置の植物生育体保持部Ｃ１に保持された略円柱形状の植物生育体Ｊ３の後面上部に水が供給される。
【０１２９】
上位置の植物生育体保持部Ｃ１に保持された植物生育体Ｊ３に供給された水は、その植物生育体Ｊ３に吸収され、更にその植物生育体保持部Ｃ１における保水用板状体Ｊ４に吸収されるが、吸収しきれない水は、その保水用板状体Ｊ４を支持する上棚板体Ｃｐａの水平板状部Ｃｐ１の後方へ流出し、上位置の外部経路部Ｂｓに保持された保水体Ｋに吸収される。更に、その保水体Ｋに吸収しきれない水は、上から２番目の棚状突部Ｂｐの上板部Ｂｐ３の前方へ流出し、中位置の植物生育体保持部Ｃ１に保持された植物生育体Ｊ３に吸収される。
【０１３０】
すなわち、上位置の植物生育体保持部Ｃ１から、上位置の外部経路部Ｂｓを経、中位置の植物生育体保持部Ｃ１に至る経路が、受給水部から水系液体が供給される所定植物生育体保持部から、それよりも下方位置の植物生育体保持部に水系液体を導き得る導水経路を構成する。
【０１３１】
また、中位置の植物生育体保持部Ｃ１に保持された植物生育体Ｊ３に導かれた水は、その植物生育体Ｊ３に吸収され、更にその植物生育体保持部Ｃ１における保水用板状体Ｊ４に吸収されるが、吸収しきれない水は、その保水用板状体Ｊ４を支持する中棚板体Ｃｐｂの水平板状部Ｃｐ１の後方へ流出し、下位置の外部経路部Ｂｓに保持された保水体Ｋに吸収される。更に、その保水体Ｋに吸収しきれない水は、最下位置の棚状突部Ｂｐの上板部Ｂｐ３の前方へ流出し、下位置の植物生育体保持部Ｃ１に保持された植物生育体Ｊ３に吸収される。
【０１３２】
すなわち、中位置の植物生育体保持部Ｃ１から、下位置の外部経路部Ｂｓを経、下位置の植物生育体保持部Ｃ１に至る経路が、所定植物生育体保持部から導水経路を通じて下方位置の植物生育体保持部に導かれた水系液体を、その植物生育体保持部から、それよりも下方位置の植物生育体保持部に導き得る導水経路を構成する。
【０１３３】
このようにして、順に上方から下方へ、植物生育体Ｊ３及び保水用板状体Ｊ４から保水体Ｋ、保水体Ｋから植物生育体Ｊ３及び保水用板状体Ｊ４へと給水され、各植物生育体Ｊ３において生育する植物の灌水に利用される。
【０１３４】
下位置の植物生育体保持部Ｃ１に保持された保水用板状体Ｊ４から流出する水は、下棚板体Ｃｐｃの水平板状部Ｃｐ１の後部の横長切欠部Ｃｐｘを通じて保持構造体外枠部Ｃｆの底板部Ｃｆ２上に流下し、下垂直板部Ｂｆ５の下端位置に設けられた排水孔部Ｂｅを通じて外部構造体Ｂの後側外枠部Ｂｆｒの下方へ至る排水経路を経て流下排水される。下方隣接位置に植物栽培装置Ｕ２が配置されている場合は、排水孔部Ｂｅを通じて流出した水は下側の植物栽培装置Ｕ２の受給水部Ｂｒ内に供給され、上側の植物栽培装置Ｕ２と同様に植物生育体Ｊ３、保水用板状体Ｊ４及び保水体Ｋに順次供給される。
【０１３５】
なお、水系液体の一部は、植物生育体Ｊ３の後方の保水体保持部Ｂｈに保持された保水体Ｋに吸収され、その保水体Ｋから前方の植物生育体Ｊ３へ流出し得る。更に、上記のように順次下方へ流れる水の一部は、植物生育体Ｊ３又は保水用板状体Ｊ４の後面沿いに流下して保水体Ｋや他の植物生育体Ｊ３又は保水用板状体Ｊ４に吸収されること、保水体Ｋの後面沿いに流下して植物生育体Ｊ３又は保水用板状体Ｊ４や他の保水体Ｋに吸収されること、或いは、そのような水が何れにも吸収されずに排水孔部Ｂｅに至ること等が生じ得る。
【０１３６】
(3)  更に別の例として、図１９に示すように、植物栽培装置における構造体を上記植物栽培装置Ｕ１の生育体保持構造体Ａに対応する生育体保持構造体Ｄのみとしたものを挙げることができる。
【０１３７】
生育体保持構造体Ｄは、主として、一定の前後方向幅を有する正面方形状の外枠部Ｄｆと、その外枠部Ｄｆの後端部に設けられた背板部Ｄｎと、外枠部Ｄｆの両側の縦板部Ｄｆ１間に架設されると共に背板部Ｄｎに支持された棚板体Ｄｐからなる。
【０１３８】
棚板体Ｄｐは、上下方向一定間隔おきの５つの上下方向位置に設けられている。各棚板体Ｄｐは、後面が背板部Ｄｎに接合している垂下板部Ｄｐ１と、その垂下板部Ｄｐ１の上端から前方に向かって突設された水平板状部Ｄｐ２と、水平板状部Ｄｐ２の前端に設けられた上方突起部Ｄｐ３からなる。
【０１３９】
水平板状部Ｄｐ２は上下方向に水系液体が通過可能な網板状をなし、水平板状部Ｄｐ２の前端は、外枠部Ｄｆの前端位置よりもやや後方に位置する。
【０１４０】
各上方突起部Ｄｐ３の前面に横方向間隔おきに設けられた尖頭状の突起Ｄｐｐは、各棚板体Ｄｐの前側に配する芝生等の栽培対象植物に対し後方から突き刺さるようにすることにより栽培対象植物保持の補助とするものである。各棚板体Ｄｐの横断面形状は、突起Ｄｐｐを除き、生育体保持構造体Ｄの全横幅にわたり実質上一定である。
【０１４１】
受給水部Ｄｒは、外枠部Ｄｆのうち後部の上端部に上方開口の溝状に設けられている。受給水部Ｄｒの底板部Ｄｒ１は上下方向に水系液体が漸次通過可能に構成されている。
【０１４２】
外枠部Ｄｆの下端垂直板部Ｄｆ２の下端位置には、排水孔部Ｄｅが水平方向等間隔に設けられている。
【０１４３】
外枠部Ｄｆの四隅部には、それぞれ円筒状の連結用孔部Ｄａが設けられている。
【０１４４】
最上位置の植物生育体保持部Ｄ１は、最上位置の棚板体Ｄｐの水平板状部Ｄｐ２、上方突起部Ｄｐ３、背板部Ｄｎ、受給水部Ｄｒの底板部Ｄｒ１、並びに外枠部Ｄｆの両縦板部Ｄｆ１により囲まれた部分である。
【０１４５】
それ以外の植物生育体保持部Ｄ１は、下側の棚板体Ｄｐの水平板状部Ｄｐ２及び上方突起部Ｄｐ３、背板部Ｄｎ、上側の棚板体Ｄｐの水平板状部Ｄｐ２及び垂下板部Ｄｐ１、並びに外枠部Ｄｆの両縦板部Ｄｆ１により囲まれた部分である。
【０１４６】
このように、各植物生育体保持部Ｄ１による植物生育体を保持し得る空間は互いに上下方向に分離している。また、各植物生育体保持部Ｄ１に保持される植物生育体は、互いに上下方向に実質上分離している。
【０１４７】
背板部Ｄｎのうち、少なくとも植物生育体の後面を支持する部分の全体又は部分は、格子状部又は網状部を有するものを用いることが好ましい。水平板状部Ｄｐ２上に保持した植物生育体の前面部において生育する対象植物の根の通気性を良くするためである。
【０１４８】
本例では、芝（芝生）やその他の地被植物を栽培する場合、各植物生育体保持部Ｄ１に、図示しない植物生育体（好ましくは上記植物生育体Ｊ２と同様の保水性植物生育体）を保持させ、それらの前面に芝生等の栽培対象植物を配した上で、その芝生等の栽培対象植物の脱落を防ぐために、生育体保持構造体Ｄの前側に上記と同様の前面保持枠Ｎを配する。前面保持枠Ｎの連結用孔部Ｎａを生育体保持構造体Ｄの連結用孔部Ｄａと同軸状に重なり合った状態とし、これらの同軸状に重なり合った状態の連結用孔部及び連結用孔部Ｄａの各孔に上記と同様の結合体Ｌを貫通させてそれらを連結することにより、ユニット状の植物栽培装置とすることができる。
【０１４９】
受給水部Ｄｒ内に水（或いは、例えば液肥等を含んだ水系液体、又はその他の水系液体）を供給することにより、その底板部Ｄｒ１を水系液体が漸次下方に通過して最上位置の植物生育体保持部Ｄ１に流下し、その植物生育体保持部Ｄ１に保持された植物生育体に吸収される。吸収しきれない水は、その植物生育体を支持する水平板状部Ｄｐ２を下方へ透過し、上から２番目の位置の植物生育体保持部Ｄ１に保持された植物生育体に吸収される。すなわち、最上位置の植物生育体保持部Ｄ１から、その下側の水平板状部Ｄｐ２を経、上から２番目の位置の植物生育体保持部Ｄ１に至る経路が、受給水部から水系液体が供給される所定植物生育体保持部（最上位置の植物生育体保持部Ｄ１に保持された植物生育体）から、それよりも下方位置の植物生育体保持部に水系液体を導き得る導水経路を構成する。
【０１５０】
また、上から２番目の位置の植物生育体保持部Ｄ１に保持された植物生育体に導かれた水は、その植物生育体に吸収されるが、吸収しきれない水は、その植物生育体を支持する水平板状部Ｄｐ２を下方へ透過し、上から３番目の位置の植物生育体保持部Ｄ１に保持された植物生育体に吸収される。すなわち、上から２番目の位置の植物生育体保持部Ｄ１から、その下側の水平板状部Ｄｐ２を経、上から３番目の位置の植物生育体保持部Ｄ１に至る経路が、所定植物生育体保持部から導水経路を通じて下方位置の植物生育体保持部に導かれた水系液体を、その植物生育体保持部から、それよりも下方位置の植物生育体保持部に導き得る導水経路を構成する。
【０１５１】
このようにして、順に上方から下方へ、上側の植物生育体から下側の植物生育体へと給水され、各植物生育体の前面部において生育する栽培対象植物の灌水に利用される。
【０１５２】
最下位置の植物生育体保持部Ｄ１に保持された植物生育体を支持する水平板状部Ｄｐ２を下方へ透過した水は、下端垂直板部Ｄｆ２の下端位置に設けられた排水孔部Ｄｅを通じて生育体保持構造体Ｄの後部下方へ流出する（すなわち、最下位置の棚板体Ｄｐの水平板状部Ｄｐ２から排水孔部Ｄｅを通じて生育体保持構造体Ｄの後部下方に至る排水経路を通じて流下排水される）。
【０１５３】
２．植物栽培装置
【０１５４】
植物栽培装置は、複数の植物生育体保持部と、受給水部とを備える。
【０１５５】
(1) 植物生育体保持部により保持される植物生育体は、栽培対象植物が生育し得るものであり、保水性を有するものであることが好ましい。栽培対象植物が生育し得るというのは、例えば、栽培対象とする植物の根、仮根、地下茎等が固着した状態又は内部において張った状態で植物が生育し得るものを言う。
【０１５６】
植物生育体の栽培対象植物の例としては、芝類、こけ類等の地被植物、セダム類、つた類等を挙げることができるが、その他の各種植物も対象となり得る。
【０１５７】
保水性の植物生育体としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したものを用いることができる。また、保水性の植物生育体として、合成又は天然高分子材料製のスポンジ状又はその他の多孔質有機材料、ゼオライトや軽石等を始めとする多孔質無機材料、その他の各種植物生育材料を用いることができる。
【０１５８】
植物生育体は、ばらばらの繊維や粒子等の状態ではなく、一体性又は定形性を有するものとすることができ、平板状又は湾曲板状の他、直方体又はその他の多面体状、或いはその他の立体形状とすることができる。また、平板状のもの又はその他の形状のものを巻回又はその他の変形等を加えて円柱状又はその他の形態にしたものであってもよい。また、これらの形態のものを二種以上組み合わせたもの、例えば平板状のものの上に、円柱状のもの（例えば平板状のものを巻回して円柱状としたもの等）を軸線を水平状に載置したものであってもよい。
【０１５９】
保水性の植物生育体としては、例えば、その下端からある限界高さまで、毛細管現象等により、水系液体を保有し得るものを用いることができる。保水性の植物生育体は、水系液体を保有した場合に下方側の水系液体保有量が上方側に比し多くなるものであってよい。
【０１６０】
水系液体とは、水道水、雨水、液肥等を含有する水等の、対象植物の生育に利用され得る、水を主成分とする液体である。
【０１６１】
保水体は、保水性の植物生育体と同様の材料を用いて同様に形成したものとすることができ、保水体と保水性の植物生育体は同一材料から同様に形成したものであってもよい。
【０１６２】
(2) 植物生育体保持部は、植物生育体（例えば上記のような植物生育体）を、その植物生育体の何れかの部分において栽培対象植物を生育し得るように保持するためのものである。
【０１６３】
(2-1) 植物栽培装置は、各植物生育体保持部に、保水性を有し対象植物が生育し得る植物生育体が保持されたものとすることができる。
【０１６４】
植物生育体保持部による植物生育体の保持は、基体（枠状体、柱状体、壁状体、アーチ、シェル等）に、例えば、植物生育体の底面部の全部又は一部を上向きに支持する上向支持部や、植物生育体の側面部の一部又は全部を側方および／または上方に支持する側方支持部を設けることによる保持、植物生育体の一部に挿通した又は植物生育体を貫通した棒材又は板材等を前記のような基体により支持することによる保持、前記のような基体に対し植物生育体を、接着、縫着・綴着・釘、ビス、ボルト等により直接固定することによる保持等により行い得る。植物生育体を上向きに支持する構造体としては、多数の透孔部を好ましくは満遍なく有する板状構造体、スノコ状構造体、網状構造体（パンチングメタルようなものも含む）、格子状（縦横格子状又は並列格子状）構造体、植物生育面に向かって保水性植物生育体の後方から突設された片持梁状のものを並列した構造体、複数並列した水平方向の梁状体又は可撓性線条体、又はこれらの組み合わせ等を挙げることができる。スノコ状構造体、網状構造体、格子状構造体、片持梁状のものを並列した構造体等の前記各種構造体を構成する材料としては、ステンレス鋼やアルミニウム等の金属、各種合成樹脂、セラミクス等を挙げることができる。
【０１６５】
(2-2) 植物生育体保持部により保持された状態の植物生育体において、植物を生育するための面としては、例えば、垂直状の面又は傾斜状（水平方向に対し、例えば４０乃至９０度の傾斜、若しくは５０乃至９０度の傾斜、好ましくは６０乃至９０度の傾斜、より好ましくは７０乃至９０度の傾斜）の上向き若しくは下向きの面、水平面を挙げることができる。また、このような植物を生育するための面は、平面に限らず、例えば、垂直方向（若しくは傾斜方向）及び水平方向の両方又は一方において湾曲している曲面や凹凸を有する面であってもよい。例えば直立円筒状の外周面又は内周面或いは円錐状の外周面に沿うものとすることができる。更に、１つの植物生育体が複数の面（例えば反対側の面、隣接面等）を植物生育面として有するものであってもよい。
【０１６６】
(2-3) 植物生育体の相対する両面のそれぞれにおける全体又は一部を、対象植物の生育を妨げない材料（例えば網状部又は格子状部等）により支持すること又は覆うことにより、それらの相対する両面又はその一方を植物生育面とすることができる。また、保水性植物生育体の相対しない２以上の面のそれぞれにおける全体又は一部を、対象植物の生育を妨げない材料（例えば網状部又は格子状部等）により支持すること又は覆うことにより、それら全ての面又は一部の面を植物生育面とすることができる。
【０１６７】
(3) 複数の植物生育体保持部は、異なる上下方向位置に設けられる。
【０１６８】
(3-1) 異なる上下方向位置というのは、一方の植物生育体保持部の下端位置よりも下方に他方の植物生育体保持部の上端位置が位置する場合の他、一方の植物生育体保持部の上端位置よりも下方であって下端位置よりも上方に他方の植物生育体保持部の上端位置が位置し、一方の植物生育体保持部の下端位置よりも下方に他方の植物生育体保持部の下端位置が位置する場合を含む。
【０１６９】
前者においては、一方の植物生育体保持部の垂直下方に他方の植物生育体保持部の全体が位置する場合、一方の植物生育体保持部の垂直下方に他方の植物生育体保持部の一部が位置する場合、及び、一方の植物生育体保持部の垂直下方以外の位置に他方の植物生育体保持部の全体が位置する場合の何れかとすることができる。
【０１７０】
後者においては、一方の植物生育体保持部の垂直下方以外の位置に他方の植物生育体保持部の全体が位置するものとすることができる。
【０１７１】
(3-2) 何れかの植物生育体保持部による植物生育体を保持し得る空間と、他の植物生育体保持部による植物生育体を保持し得る空間は、実質上分離しているものとすることができる。
【０１７２】
実質上分離というのは、一方の植物生育体保持部による植物生育体を保持し得る空間と他方の植物生育体保持部による植物生育体を保持し得る空間が分離している場合の他、次のような場合が有り得る。
【０１７３】
両空間が水平方向に一部接触していて上方側の空間に保持された植物生育体が含有する水分が下方側の空間に保持された植物生育体に一部接触することにより一部の水分が下方側の植物生育体に流れるが、その量は相対的に小さい場合。
【０１７４】
両空間が垂直方向に一部接触していて上方側の空間に保持された植物生育体が含有する水分が下方側の空間に保持された植物生育体に一部接触することにより一部の水分が下方側の植物生育体に流れるが、その量は相対的に小さい場合。
【０１７５】
(3-3) 植物生育体保持部に保持された植物生育体と、その植物生育体保持部から導水経路を介して水系液体が導かれる、前記植物生育体保持部よりも下方位置の植物生育体保持部に保持された植物生育体は、実質上分離している。
【０１７６】
すなわち、上方位置の植物生育体と下方位置の植物生育体とが実質上分離しているというのは、例えば、両者が空間を隔てている場合、両植物生育体が水平方向に一部接触していて上方の植物生育体が含有する水分が下方の植物生育体に一部接触することにより一部の水分が下方側の植物生育体に流れるが、その量は相対的に小さい場合、及び、両植物生育体が垂直方向に一部接触していて上方の植物生育体が含有する水分が下方の植物生育体に一部接触することにより一部の水分が下方側の植物生育体に流れるが、その量は相対的に小さい場合を挙げることができる。
【０１７７】
(3-4) 前記のような複数の植物生育体保持部は、生育体保持構造体（例えば棚状又は枠状の構造体）として一体的に構成することができる。その材料としては、例えば合成樹脂を好適に用い得るが、これに限らない。
【０１７８】
(4) 受給水部は、供給源から供給される水系液体を受け入れてそれを、例えば受給水部に設けた流出部を通じて、給水し得る。受給水部は、供給源から供給される水系液体を受け入れて、例えば一定水位になるまで一時貯留し得、一定水位を超える水系液体を流出部を通じて給水し得るもの、或いは、受け入れた水系液体を流出部を通じて給水し得るが、給水可能な流量を超える供給流量の水系液体を一時貯留し得るものとすることができる。なお、受給水部は、供給源から供給される水系液体を給水し得る給水部の一例であり、受給水部が、供給源から供給される水系液体をそのまま給水する給水部（水系液体の一時貯留等を行わないもの）であっても植物栽培装置として成立し得ることは言うまでもない。
【０１７９】
供給源としては、例えば、水道、降水、貯留降水、又は、植物栽培装置から排水された水系液体、植物栽培装置から排水された水系液体のポンプ等による循環、或いは、これらの組み合わせを挙げることができるが、その他の装置等であってもよい。
【０１８０】
受給水部は、供給された水系液体を、植物生育体保持部のうち最上位置の植物生育体保持部に対し給水し得るものであることが好ましい。尤も、受給水部は、供給された水系液体を、植物生育体保持部のうち少なくとも最下位置の植物生育体保持部よりも上方の植物生育体保持部に対し給水し得るものとすることができる。また、受給水部から水系液体が供給される所定植物生育体保持部よりも下方に、異なる上下方向位置の２以上の植物生育体保持部を有するものとすることができる。なお、給水は、２以上の上下方向位置の植物生育体保持部における、或いは１又は２以上の植物生育体保持部及び１又は２以上の外部経路部における、例えば水平方向における全体に対して又は所要部分のみに対して行うこともできる。
【０１８１】
受給水部は、このような給水対象の植物生育体保持部における少なくとも所定の水平方向部分に沿うように配された流出部を有し、受給水部に供給された水系液体は、前記流出部を通じて前記植物生育体保持部に給水されるものとすることができる。
【０１８２】
また、給水する植物生育体保持部に保持される植物生育体における植物を生育するための面が、例えば、垂直状の面又は傾斜状（水平方向に対し、例えば４０乃至９０度の傾斜、好ましくは６０乃至９０度の傾斜、より好ましくは７５乃至９０度の傾斜）の上向き若しくは下向きの面である場合、受給水部から植物生育体保持部への給水は、受給水部の側部又は下部若しくは底部に設けた流出部を通じて、植物生育体保持部に保持される植物生育体の、例えば、植物を生育するための面の背面側（好ましくは背面側上部）、その植物生育体の上端部、その植物生育体の正面側（好ましくは正面側上部）、又はその植物生育体の側面側（好ましくは側面側上部）に対し行われるものとすることができる。
【０１８３】
流出部としては、例えば、孔（多数の孔、１又は２以上の横長孔等）、単数又は複数の切欠き（せき）、水系液体透過層（例えば多数の粒状体からなる層）、水系液体透過膜等を例示することができる。このような流出部は、水系液体を供給する対象である所定植物生育体保持部における所定の水平方向部分（例えば、所定高さ位置の所定の水平方向長さ部分、上端部の所定の横長部分等）に沿うように配され、水系液体の供給に水平方向における偏りが生じることが可及的に防がれることが好ましい。
【０１８４】
(5) 導水経路は、受給水部から水系液体が供給される所定植物生育体保持部から、それよりも下方位置の植物生育体保持部に水系液体を導き得るものである。また、導水経路は、植物生育体保持部から導水経路を通じて下方位置の植物生育体保持部に導かれた水系液体を、その植物生育体保持部から、それよりも下方位置の植物生育体保持部に導き得るものである。
【０１８５】
(5-1) 導水経路は、例えば、植物生育体保持部から、その側方外部の外部経路部を経て、下方位置の植物生育体保持部へ水系液体を導くものとすることができる。側方外部というのは、平面視において植物生育体保持部の外方に位置する部分であり、前後左右を問わない。この場合、外部経路部は、導水経路の少なくとも一部を構成する。なお、植物生育体保持部が、その下部に水系液体を貯留し得る凹部を有する場合は、水系液体が側方外部の外部経路部へ流出するには、その凹部における水系液体の水位が外部経路部へ流出し得るまで上がることを要する。
【０１８６】
外部経路部には、水系液体を保持し得る上記保水体を備えるものとすることができる。
【０１８７】
前記のように、複数の植物生育体保持部を、生育体保持構造体（例えば棚状又は枠状の構造体）として一体的に構成した場合（或いはその他の場合でも）、導水経路における外部経路部を、生育体保持構造体等の植物生育体保持部に対応するように、外部構造体（例えば棚状又は枠状の構造体）として一体的に構成することができる。その材料としては、例えば合成樹脂を好適に用い得るが、これに限らない。生育体保持構造体と外部構造体が結合することにより、植物生育体保持部から、その側方外部の外部経路部を経て、下方位置の植物生育体保持部へ水系液体を導く導水経路を備えた植物栽培装置が得られるものとすることができる。なお、受給水部は、例えば、生育体保持構造体と外部構造体の何れかに一体に設けることができる。
【０１８８】
このような外部構造体は、生育体保持構造体に正面側が存在する場合は背面側又は側面側に、或いはその両方に設けることができる。また、例えば正面側に生育体保持構造体を位置させ、背面側に外部構造体を位置させて両者を結合し、外部構造体における外部経路部の背面側を開口状態とすることにより、外部構造体が生育体保持構造体としても機能する（外部経路部を、植物生育体保持部を兼ねるものとし、植物生育体を兼ねる保水体を保持し得る）ものとし、生育体保持構造体が外部構造体としても機能する（植物生育体保持部を、外部経路部を兼ねるものとし、保水体を兼ねる植物生育体を保持し得る）ものとすることも可能である。
【０１８９】
保水体は、例えば、植物生育体の側方（後方の他、横方向、前方等でもよい）において水系液体を保有するため、保有した水系液体を前方の植物生育体（特に、水分保有量が低下した状態の保水性植物生育体）に供給するため、又は、植物生育体の後方に対象植物の根が伸びてその根が水系液体を吸収できるようにするために、外部経路部に配装することができる。
【０１９０】
保水体と保水性植物生育体は水平方向において接するものとすることができる。保水体と保水性植物生育体の水平方向接触は、垂直方向接触に比し、上方のものから下方のものへの水系液体の移動をあまり招かない。
【０１９１】
(5-2) 別の導水経路の例として、植物生育体保持部が、その下方へ水系液体が透過し得る透水性構造部を備えており、上方位置の植物生育体保持部から前記透水性構造部を介して下方位置の植物生育体保持部へ水系液体を導くものを挙げることができる。
【０１９２】
透水性構造部としては、例えば、植物生育体を上向きに支持する上向支持部であって、多数の透孔部を好ましくは満遍なく有する板状構造体、スノコ状構造体、網状構造体（パンチングメタルようなものも含む）、格子状（縦横格子状又は並列格子状）構造体、植物生育面に向かって保水性植物生育体の後方から突設された片持梁状のものを並列した構造体、複数並列した水平方向の梁状体又は可撓性線条体により形成したものの他、植物生育体の保持を、植物生育体の一部に挿通又は植物生育体を貫通した棒材又は板材等を支持することにより行ったり、植物生育体を、接着、縫着・綴着・釘、ビス、ボルト等により直接固定することにより、上下の植物生育体間に空間を設けたもの、或いは、これらの組み合わせ等を挙げることができる。スノコ状構造体、網状構造体、格子状構造体、片持梁状のものを並列した構造体等の構造体からなる区画部を構成する材料としては、ステンレス鋼やアルミニウム等の金属、各種合成樹脂、セラミクス等を挙げることができる。
【０１９３】
(5-3) 植物栽培装置は、導水経路を通じて上方の植物生育体保持部から水系液体が導かれ得る植物生育体保持部のうち、その植物生育体保持部から更に下方位置の植物生育体保持部へ導水経路を通じて水系液体が導かれ得るもの以外の植物生育体保持部（例えば最下位置の植物生育体保持部）から水系液体が流下排水される排水経路を有するものとすることができる。
【０１９４】
このような排水経路は、例えば、下方の外部へ排水するものとすることができる他、排水貯留部を設けてそこに流下するものとすることができ、そのような排水貯留部に流下した水系液体は、循環ポンプ等により上方の受給水部へ供給されるものとすることもできる。
【０１９５】
(6) 植物生育体保持部に保持する保水性の植物生育体における植物を生育するための面（植物生育面）が、垂直状の面又は傾斜状（水平方向に対し、例えば４０乃至９０度の傾斜、若しくは５０乃至９０度の傾斜、好ましくは６０乃至９０度の傾斜、より好ましくは７０乃至９０度の傾斜）の上向き若しくは下向きの面である場合、植物生育体の下端からできるだけ高い位置まで水系液体を保有し得るものであることが好ましい。例えば、保水性の植物生育体の高さを、下端から高さの１０乃至１００％までの部分が水系液体を保有し得る高さとすることができる。すなわち、下端からの高さの例えば１０％まで水系液体を保水し得るものであってもよく、下端からの高さの例えば５０％まで水系液体を保水し得るものであってもよく、下端からの高さの例えば１００％まで水系液体を保水し得るものでもよい。或いは、３０乃至１００％までの部分が水系液体を保有し得る高さとすることができる。好ましくは、４０又は５０乃至１００％、より好ましくは６０又は７０乃至１００％、更に好ましくは８０若しくは９０乃至１００％である。一般的には、保水性の植物生育体の下端から上端までの高さを低くすることにより、その植物生育体の全体の高さ（下端から上端までの高さ）に対する下端から水系液体を保水し得る位置までの高さの比率を大きくすることができる。
【０１９６】
(6-1) 植物生育体保持部に保持された状態の保水性の植物生育体の高さは、用いる繊維材料や繊維材料同士の密度等による。例えば１乃至２０ｃｍとすることができ、好ましくは３乃至１５ｃｍ、より好ましくは４乃至１０ｃｍとすることができるが、これに限られるものではない。
【０１９７】
(6-2)  植物生育体保持部に保持された状態の植物生育体の奥行きは、高さ以下とすることが望ましい。この場合、スペースを有効に利用して植物生育体の植物生育面において植物栽培を行うことができる。植物生育体の奥行きは、好ましくは、高さの３／４又は２／３以下、より好ましくは１／２又は１／３以下である。
【０１９８】
(6-3)  異なる上下方向位置に設けられた植物生育体保持部に保持された植物生育体は、互いに実質上分離して上下方向に並び、それらの上下方向に並ぶ植物生育体の各植物生育面が上下方向に並ぶものとすることができる。
【０１９９】
(6-4)  上下隣り合う植物生育体の植物生育面の前後方向位置は、一致するものとすることができる。その場合に各植物生育面の水平方向に対する傾斜角が９０度であれば、各植物生育面が一定の垂直面に沿うものとなる。
【０２００】
また、例えば、上側の植物生育面に対して下側の植物生育面が前方に位置するものとすることもできる。その場合、上側の保水性植物生育体の下端よりも下側の保水性植物生育体の上端が上方に位置するものとして上側の植物生育面と下側の植物生育面の上下間隔を０又はできるだけ小さくすることができる。
【０２０１】
(6-5)  植物生育面同士の上下間隔は、例えば、植物生育面（保水性植物生育体のうち上方突起部等により覆われて植物が生育し得ない部分は除かれる）の上下方向寸法の２倍若しくは３／２以下、或いは、１倍若しくは２／３以下、好ましくは１／２若しくは１／３以下、より好ましくは１／４若しくは１／５以下、更に好ましくは１／１０以下若しくは０であるものとすることができる。
【０２０２】
(6-6)  上下方向に並んだ植物生育面の形状、大きさ、水平方向両端位置等は、それぞれ一定とすることができるほか、互いに異なるものとすることもできる。例えば、上下方向に並んだ植物生育面の一端が上下方向に一定傾斜又は傾斜が１以上の箇所で変化する直線又は所定の曲線に沿い、他端は前記一端の直線又は曲線を平行移動した直線又は曲線或いはその他の直線又は曲線に沿うものとすることができる。
【０２０３】
従って、上下方向に並んだ全ての植物生育面の外周縁を包絡する線は、長方形、正方形、その他の多角形、円、楕円、その他の閉曲線等を描くものとすることができる。
【０２０４】
(7) 植物栽培装置は、全体がユニット状をなすもの（例えば、生育体保持構造体と外部構造体が結合した植物栽培装置であってユニット状をなすもの）を、２以上、上下方向に配列した場合に、上側の植物栽培装置における上記排水経路を通じて排水される水系液体が、下側の植物栽培装置における上記受給水部に受け入れられ得るものとすることができる。
【０２０５】
また、植物栽培装置は、全体がユニット状をなすものであり、それを被固定体（例えば壁面等の垂直状の面や傾斜面等）に対し上下方向に配列した状態で固定する場合に、個々のユニット毎に被固定部に対し着脱可能に固定されるものとすることができる。
【０２０６】
３．支持固定器
【０２０７】
支持固定器は、前支持部と、上被固定部及び下被固定部を有する。支持固定器は、ステンレス鋼等の金属製であることが好ましいが、これに限るものではない。
【０２０８】
(1) 前支持部は、固定対象物を上向きに支持し得る。前支持部は、少なくとも固定対象物を上向きに支持する部分が、所定の水平面に沿うものであることが好ましい。また、前支持部の上面は水平面であることが好ましく、前支持部は、水平状板部であることが好ましいが、何れも、これに限るものではない。
【０２０９】
(2) 固定対象物としては、上記ユニット状の植物栽培装置の他、各種の物を対象とすることができるが、奥行きが比較的小さい直方体外形の物を上下左右に配列固定するのに特に適する。
【０２１０】
(3) 上被固定部及び下被固定部は、前支持部の後側において前支持部の上方及び下方にそれぞれ位置し、それらの上被固定部及び下被固定部は、それぞれ、固定対象物を固定するための締結箇所を備える。
【０２１１】
これにより、前支持部において固定対象物を上向きに支持した状態でその固定対象物を上被固定部に対しその締結箇所において締結固定することができると共に、前支持部の下側に位置する別の固定対象物を下被固定部に対しその締結箇所において締結固定することができる。
【０２１２】
上被固定部及び下被固定部は、それぞれにおける横方向に互いに離隔した２つの位置に、締結箇所を備えるものとすることができる。
【０２１３】
この場合、前支持部において２つの固定対象物（例えば正面方形状をなす固定対象物）を支持した状態でそれらの固定対象物をそれぞれ上被固定部に対し２つの締結箇所において締結固定することができると共に、前支持部の下側に位置する別の２つの固定対象物（例えば正面方形状をなす固定対象物）を下被固定部に対しその２つの締結箇所において締結固定することができる。
【０２１４】
上被固定部及び下被固定部は、それぞれ、前面のうち少なくとも固定対象物に接する部分が、法線が前後方向である所定の垂直面に沿うものであることが好ましい。また、上被固定部及び下被固定部は、それぞれ、法線が前後方向である所定の垂直面に沿う垂直状板部であることが好ましい。
【０２１５】
締結箇所は、上被固定部及び下被固定部のそれぞれにおける横方向に互いに離隔した左右対称位置の２箇所ずつに備えるものとすることが好ましく、これらの締結箇所は、上下対称位置に位置することが好ましい。
【０２１６】
締結箇所としては、ボルト等が挿通し得る孔、雌ねじ部（例えばバーリング加工等により形成したもの）、固定ナットの雌ねじ孔部、ボルト等が挿通し得る孔の後側に固定されたナットの雌ねじ孔部、植え込みボルトの雄ねじ部等を例示することができるが、これに限るものではない。
【０２１７】
(4) 支持固定器は、上被固定部及び下被固定部の位置の後側に、壁面等の垂直状の面や傾斜面等の被固定体に直接又は別部材を介して固定するための被支持部、例えば後方突出の水平板状をなす被支持部を有するものとすることができる。
【０２１８】
４．支持固定システム
【０２１９】
四隅部にそれぞれ被固定箇所を有する正面方形状の固定対象物と、上記支持固定器からなり、
支持固定器の前支持部上に固定対象物の下部を上向きに支持した状態でその固定対象物の下部の被固定箇所を上被固定部の締結箇所に対し締結固定すると共に
別の固定対象物の上部の被固定箇所を下被固定部の締結箇所に対し締結固定するものである。
【０２２０】
(1) 固定対象物は、複数の被連結体が重合連結されてなるものとすることができる。その各被連結体は、連結用孔部を備えた被連結部を有し、複数の被連結体の重合連結は、各被連結体の被連結部における連結用孔部同士が同軸状に重なり合う状態で行われ、その状態の被連結部が被固定箇所を構成するものとすることができる。連結用孔部とは、連結用の孔及びその周縁部を意味する。被連結部は、連結用孔部を含む部分を意味し、連結用孔部が被連結部の全部である場合もある。
【０２２１】
(2) 複数の被連結体の重合連結は、それらの被連結体の被連結部における同軸状に重なり合った連結用孔部に結合体を貫通させることにより行うことができる。
【０２２２】
(2-1) 結合体は、
複数の被連結体の被連結部における同軸状に重なり合った連結用孔部に貫通してそれらの被連結部を重合連結し得るものであり、
例えば、
軸状部と、
軸状部の基端側に位置する基端側外方張出部と、
軸状部の先端側に位置し、基端側外方張出部との間に対象物を挟む先端側外方張出部を有すると共に内方へ弾性的に撓み得る抜止部
を備えるものとすることができる。
【０２２３】
上記例の結合体を用いた場合、上記複数の被連結体の被連結部における同軸状に重なり合った連結用孔部に対し、その同軸状に重なり合った連結用孔部のうち一方の側（例えば正面側）のものの開口よりも基端側外方張出部が外方に張り出している結合体の軸状部を、その軸状部の先端側から挿入すると、前記基端側外方張出部が固定対象物における前記一方の側の被連結部に受止されるまで挿入を進めることができる。
【０２２４】
前記同軸状に重なり合った連結用孔部が、結合体の抜止部が内方へ弾性的に撓むことによって先端側外方張出部が通過し得る一方、同軸状に重なり合った連結用孔部のうち他方側（例えば背面側）の連結用孔部を抜け出た前記抜止部が内方撓み状態から復元することにより前記先端側外方張出部が側方へ広がって前記他方側の連結用孔部を逆向きに通過し得なくなるものであれば、先端側外方張出部が前記他方側の連結用孔部から他方側へ出て抜止部が内方撓み状態から復元することにより、その先端側外方張出部と基端側外方張出部との間に、複数の被連結体の被連結部を挟んでそれらを重合連結した状態となる。
【０２２５】
また、結合体は、更に、軸方向に貫通する貫通部を有するもの、例えば、前記例の結合体においては、基端側外方張出部及び軸状部を、軸方向の基端から前記抜止部の内方部まで軸方向に貫通する貫通部を備えるものとすることができる。
【０２２６】
また、同軸状に重なり合った連結用孔部に対する前記例の結合体の貫通は、連結用孔部の一方から他方（例えば正面側から背面側）に対し行うことの他、他方から一方（例えば背面側から正面側）に対し行うことも可能なものとすることができる。
【０２２７】
結合体は、ポリプロピレン等の合成樹脂製とすることができるが、これに限るものではない。
【０２２８】
(2-2) 前記例の結合体の軸状部は、例えば、結合体の軸方向に伸びる（すなわち軸方向が結合体の軸方向と一致するか又は平行な）筒状部、脚部、或いはこれらの組み合わせ、例えば筒状部の軸方向先端側に脚部を有するものとすることができる。筒状部としては、例えば円筒状部、多角筒状部を挙げることができ、脚部は、例えば、結合体の軸心線よりも径方向外方において結合体の軸方向に沿い、先端が自由端であり、先端側が径方向内方へ弾性的に撓み得るものを挙げることができる。このような脚部は、例えば、結合体の軸心線のまわりに周方向間隔を挟んで複数本設けることができる。結合体の軸方向に垂直な方向における脚部の横断面形状は、例えば、略円弧状、或いは、扇面形状（中心並びに中心角の大きさ及び位置が一致し半径が異なる二つの円弧とそれらの円弧の両端を通る二つの半径とで囲まれた図形）、方形状、その他の多角形状とすることができる。軸状部の先端部は先細形状に形成されることにより同軸状に重なり合った連結用孔部に軸状部を挿入し易いものとすることが望ましい。
【０２２９】
基端側外方張出部は、軸状部の基端側に位置する。基端側外方張出部の位置は、軸状部の基端に限るものではない。基端側外方張出部の形状は、例えば、結合体の軸方向に対し垂直な環状板状部や蝶形板状部とすることができる。
【０２３０】
抜止部は、軸状部の先端側に位置し、基端側外方張出部との間に対象物を挟む先端側外方張出部を有すると共に内方へ弾性的に撓み得るものである。例えば、結合体の軸心線よりも径方向外方において結合体の軸方向に沿った脚部であって、先端が自由端であり、先端側が径方向内方へ弾性的に撓み得るものにおける先端部の径方向外方側に先端側外方張出部を設けたものを挙げることができる。
【０２３１】
前記例の結合体が有し得る前記貫通部は、基端側外方張出部及び軸状部を、結合体の軸方向の基端から抜止部の内方部まで軸方向に貫通するものである。このような貫通部は軸方向の先端まで貫通するものが一般的であるが、先端に達することを必ずしも要しない。前記貫通部は、例えば円形断面とすることができるが、これに限るものではなく、例えば多角形断面とすることもできる。
【０２３２】
(3) 支持固定器に対する固定対象物の固定は、結合体の軸方向の貫通部を貫通する締結体により行うことができる。複数の被連結体における同軸状に重なり合った連結用孔部に貫通して被連結部同士を重合連結した結合体の軸方向の貫通部に、締結体を貫通させ、その締結体を支持固定器の締結箇所に対し締結固定することにより、固定対象物の被固定箇所を支持固定器に固定することができる。
【０２３３】
締結体は、支持固定器の締結箇所に対応するものであり、一般的にはボルトを用いるが、これに限るものではない。
【０２３４】
また、上記例の結合体が、前記同軸状に重なり合った連結用孔部に貫通して抜止部の先端側外方張出部と基端側外方張出部との間に被連結部同士を重合連結し、ボルト等の締結体が結合体の軸方向の貫通部を貫通して固定対象物の被固定箇所を支持固定器の締結箇所に対し締結固定した状態において、締結体（ボルトの軸部等）が結合体の抜止部の内方に位置することにより、抜止部の内方への撓みによる前記被連結部の重合連結の解除を防ぎ得るものとすることができる。この場合、締結体（ボルトの軸部等）が抜止部の内方に位置することにより、結合体の抜止部の内方への撓みによる前記被連結部の重合連結の解除を防ぐことができる。
【０２３５】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【０２３６】
Ａ        生育体保持構造体
Ａ１      植物生育体保持部
Ａａ      連結用孔部
Ａｆ      保持構造体外枠部
Ａｆ１    縦板部
Ａｆ２    底板部
Ａｆ３    天板部
Ａｆ４    上方突起部
Ａｆ５    隅部
Ａｐ      棚板体
Ａｐ１    垂下板部
Ａｐ２    水平板状部
Ａｐ３    上方突起部
Ａｐｐ    突起
Ｂ        外部構造体
Ｂａ      連結用孔部
Ｂｅ      排水孔部
Ｂｆ      外部構造体外枠部
Ｂｆ１    後部縦板部
Ｂｆ１ａ  通気孔
Ｂｆ２    後部底板部
Ｂｆ３    後部天板部
Ｂｆ４    上垂直板部
Ｂｆ５    下垂直板部
Ｂｆｆ    前側外枠部
Ｂｆｒ    後側外枠部
Ｂｈ      保水体保持部
Ｂｎ      後板部
Ｂｎ１    通気孔
Ｂｐ      棚状突部
Ｂｐ１    前板部
Ｂｐ２    下板部
Ｂｐ３    上板部
Ｂｒ      受給水部
Ｂｒｄ    吐出小孔
Ｂｒｈ    水平リブ
Ｂｒｐ    垂直リブ
Ｂｒｒ    補強板
Ｂｒｒ１  切欠部
Ｂｒｗ    端壁部
Ｂｒｗ１  Ｕ字状切欠部
Ｂｓ      外部経路部
Ｃ        生育体保持構造体
Ｃ１      植物生育体保持部
Ｃａ      連結用孔部
Ｃｆ      保持構造体外枠部
Ｃｆ１    縦板部
Ｃｆ２    底板部
Ｃｆ３    天板部
Ｃｈ１    仕切壁
Ｃｈ２    湾曲上板
Ｃｐ１    水平板状部
Ｃｐ２    上方突起部
Ｃｐａ    上棚板体
Ｃｐｂ    中棚板体
Ｃｐｃ    下棚板体
Ｃｐｘ    横長切欠部
Ｄ        生育体保持構造体
Ｄ１      植物生育体保持部
Ｄａ      連結用孔部
Ｄｅ      排水孔部
Ｄｆ      外枠部
Ｄｆ１    縦板部
Ｄｆ２    下端垂直板部
Ｄｎ      背板部
Ｄｐ      棚板体
Ｄｐ１    垂下板部
Ｄｐ２    水平板状部
Ｄｐ３    上方突起部
Ｄｐｐ    突起
Ｄｒ      受給水部
Ｄｒ１    底板部
Ｊ１      植物生育体
Ｊ２      植物生育体
Ｊ３      植物生育体
Ｊ４      保水用板状体
Ｊｃ      円板状部
Ｋ        保水体
Ｌ        結合体
Ｌ１      軸状部
Ｌ１ａ    脚部
Ｌ２      基端側外方張出部
Ｌ３      抜止部
Ｌ３ａ    先端側外方張出部
Ｌ４      貫通部
Ｍ１      前面マット
Ｍ２      前面マット
Ｍｃ      横長切込
Ｍｒ      縦切込
Ｎ        前面保持枠
Ｎａ      連結用孔部
Ｔ        固定ボルト
Ｕ１      植物栽培装置
Ｕ２      植物栽培装置
Ｖ        カバー材
Ｗ        壁面
Ｘ        支持固定器
Ｘ１      前支持部
Ｘ２      被支持部
Ｘ３      上被固定部
Ｘ４      下被固定部
Ｘａ      固定用孔
Ｘｂ      ナット用孔
Ｘｃ      固定ナット
Ｙ        山形鋼
Ｙ１      一辺部
Ｙ２      他辺部
【図１】
0005912366.tif 000002
【図２】
0005912366.tif 000003
【図３】
0005912366.tif 000004
【図４】
0005912366.tif 000005
【図５】
0005912366.tif 000006
【図６】
0005912366.tif 000007
【図７】
0005912366.tif 000008
【図８】
0005912366.tif 000009
【図９】
0005912366.tif 000010
【図１０】
0005912366.tif 000011
【図１１】
0005912366.tif 000012
【図１２】
0005912366.tif 000013
【図１３】
0005912366.tif 000014
【図１４】
0005912366.tif 000015
【図１５】
0005912366.tif 000016
【図１６】
0005912366.tif 000017
【図１７】
0005912366.tif 000018
【図１８】
0005912366.tif 000019
【図１９】
0005912366.tif 000020